(57)【特許請求の範囲】
【請求項１】
移動局との無線通信を行う第１の通信手段と、
前記移動局の位置に応じたサービスを提供するサービス提供装置との通信を行う第２の通信手段と、
前記第１及び第２の通信手段を制御する制御手段と、を備え、
前記制御手段は、
前記サービス提供装置からの一の要求に応じて、前記移動局に対し、自基地局からの無線信号の受信状況に関する第１の測定と、前記サービス提供装置から要求された前記第１の測定の結果を報告すべき報告回数とを指示し、
前記一の要求に応じて、前記移動局に対し、自基地局に隣接して設置される他の基地局からの無線信号の受信状況に関する第２の測定の結果を、前記報告回数に亘って報告するよう更に指示し、
前記一の要求に応じて、前記移動局に対し、前記第２の測定を予め設定された測定条件に関わらず行うよう更に指示し、
前記移動局から前記報告回数に亘って報告される前記第１及び第２の測定の結果を、前記サービス提供装置へ順次通知し、
前記通知を前記報告回数に亘って行った場合に、前記一の要求への応答を自律的に完了する、
基地局。
【請求項２】
移動局との無線通信を行う第１の通信手段と、
前記移動局の位置に応じたサービスを提供するサービス提供装置との通信を行う第２の通信手段と、
前記第１及び第２の通信手段を制御する制御手段と、を備え、
前記制御手段は、
前記サービス提供装置からの一の要求に応じて、前記移動局に対し、自基地局からの無線信号の受信状況に関する第１の測定と、前記サービス提供装置から要求された前記第１の測定の結果を報告すべき報告回数とを指示し、
前記一の要求に応じて、前記移動局に対し、自基地局に隣接して設置される他の基地局からの無線信号の受信状況に関する第２の測定の結果を、前記報告回数に亘って報告するよう更に指示し、
前記一の要求に応じて、前記他の基地局として自基地局とは異なる無線周波数を使用する又は自基地局とは異なる無線アクセス技術が適用された基地局を選択し、前記移動局に対して、前記第２の測定を行うべきタイミングを指示すると共に、前記第２の測定の終了時に前記タイミングに関する設定を無効化するよう指示し、
前記移動局から前記報告回数に亘って報告される前記第１及び第２の測定の結果を、前記サービス提供装置へ順次通知し、
前記通知を前記報告回数に亘って行った場合に、前記一の要求への応答を自律的に完了する、
基地局。
【請求項３】
移動局との無線通信、及び前記移動局の位置に応じたサービスを提供するサービス提供装置との通信を行う基地局の通信制御方法であって、
前記サービス提供装置からの一の要求に応じて、前記移動局に対し、自基地局からの無線信号の受信状況に関する測定と、前記サービス提供装置から要求された前記測定の結果を報告すべき報告回数とを指示し、
前記一の要求に応じて、前記移動局に対し、自基地局に隣接して設置される他の基地局からの無線信号の受信状況に関する第２の測定の結果を、前記報告回数に亘って報告するよう更に指示し、
前記一の要求に応じて、前記移動局に対し、前記第２の測定を予め設定された測定条件に関わらず行うよう更に指示し、
前記移動局から前記報告回数に亘って報告される前記第１及び第２の測定の結果を、前記サービス提供装置へ順次通知し、
前記通知を前記報告回数に亘って行った場合に、前記一の要求への応答を自律的に完了する、
ことを含む通信制御方法。
【発明の詳細な説明】
【技術分野】
【０００１】
本発明は、基地局、サービス提供装置、移動局、移動通信システム、及びこれらの通信制御方法に関し、特にＬＣＳ(Ｌｏｃａｔｉｏｎ Ｓｅｒｖｉｃｅｓ)の提供に際して、移動局における無線信号の受信状況を取得する技術に関する。
【背景技術】
【０００２】
近年、３ＧＰＰ(３ｒｄ Ｇｅｎｅｒａｔｉｏｎ Ｐａｒｔｎｅｒｓｈｉｐ Ｐｒｏｊｅｃｔ)では、次世代の移動通信方式としてＬＴＥ(Ｌｏｎｇ Ｔｅｒｍ Ｅｖｏｌｕｔｉｏｎ)の導入が検討され、その標準化が進められている(例えば、非特許文献１参照)。【０００３】
図１５に示すように、ＬＴＥでは、複数の無線基地局(ｅＮＢ：ｅｎｈａｎｃｅｄ Ｎｏｄｅ Ｂ)１０＿１〜１０＿ｉを用いてＥ−ＵＴＲＡＮ(Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ)が構成される。移動局(ＵＥ：Ｕｓｅｒ Ｅｑｕｉｐｍｅｎｔ)２０は、ｅＮＢ １０＿１〜１０＿ｉにより形成されるセルのいずれかに在圏し、以て所望の通信を行う。また、各ｅＮＢ １０＿１〜１０＿ｉは、ＭＭＥ(Ｍｏｂｉｌｉｔｙ Ｍａｎａｇｅｍｅｎｔ Ｅｎｔｉｔｙ)３０に接続される。ＭＭＥ ３０は、現行の移動通信システムにおけるコアネットワークに相当する機能を含み、ｅＮＢ １０＿１〜１０＿ｉに対する各種制御を行う。なお、以降の説明においては、ｅＮＢ １０＿１〜１０＿ｉを符号１０で総称することがある。【０００４】
ここで、ｅＮＢとＭＭＥの間のインタフェースはＳ１インタフェース、ｅＮＢ同士間のインタフェースはＸ２インタフェース、ｅＮＢとＵＥの間の無線インタフェースはＵｕインタフェースとそれぞれ定義されている。【０００５】
さらに、３ＧＰＰの標準化においては、ＬＣＳの導入も検討されている(例えば、非特許文献２〜４参照)。ＬＣＳでは、大略、ＵＥの地理的な位置を検出し、その位置に応じた加入者向けサービス等が提供される。【０００６】
具体的には、図１６に示すように、ＬＣＳを実現する移動通信システムは、上記のｅＮＢ １０、ＵＥ ２０、及びＭＭＥ ３０と、サービスの提供元であるＥ−ＳＭＬＣ(Ｅｖｏｌｖｅｄ Ｓｅｒｖｉｎｇ Ｍｏｂｉｌｅ Ｌｏｃａｔｉｏｎ Ｃｅｎｔｒｅ)４０とを備える。ここで、Ｅ−ＳＭＬＣとＭＭＥの間のインタフェースは、ＳＬｓインタフェースと定義されている。【０００７】
ＬＣＳにおけるＥ−ＵＴＲＡＮの機能は、地理的な位置や方位を算出するためにＵＥにおける無線信号の受信状況に関する情報(ＲＳＲＰ(Ｒｅｆｅｒｅｎｃｅ Ｓｉｇｎａｌ Ｒｅｃｅｉｖｅｄ Ｐｏｗｅｒ)やＲＳＲＱ(Ｒｅｆｅｒｅｎｃｅ Ｓｉｇｎａｌ Ｒｅｃｅｉｖｅｄ Ｑｕａｌｉｔｙ)等)を取得し、取得した情報をＥ−ＳＭＬＣへ通知することである。この機能は、ＵＥ Ｐｏｓｉｔｉｏｎｉｎｇ機能と呼称される。【０００８】
ＵＥ Ｐｏｓｉｔｉｏｎｉｎｇ機能の一つに、Ｕｐｌｉｎｋ Ｅ−ＣＩＤ(Ｅｎｈａｎｃｅｄ Ｃｅｌｌ ＩＤ) Ｐｏｓｉｔｉｏｎｉｎｇ Ｐｒｏｃｅｄｕｒｅがある。【０００９】
以下、この手順に係る移動通信システムの動作を、図１７、図１８、図１９Ａ〜図１９Ｃ及び図２０を参照して詳細に説明する。【００１０】
図１７に示すように、まずｅＮＢ １０は、ＭＭＥ ３０を介してＥ−ＳＭＬＣ ４０から、ＬＬＰａ(ＬＴＥ Ｐｏｓｉｔｉｏｎｉｎｇ Ｐｒｏｔｏｃｏｌ Ａｎｎｅｘ)メッセージの一種であるＥ−ＣＩＤ ＭＥＡＳＵＲＥＭＥＮＴ ＩＮＩＴＩＡＴＩＯＮ ＲＥＱＵＥＳＴを受信する(ステップＳ１０１)。なお、以降の説明においてＬＬＰａメッセージを扱う場合、"ＬＬＰａ：ＸＸＸ(任意のメッセージ種別)"と表記することがある。【００１１】
ここで、Ｅ−ＣＩＤ ＭＥＡＳＵＲＥＭＥＮＴ ＩＮＩＴＩＡＴＩＯＮ ＲＥＱＵＥＳＴメッセージは、大略、地理的な位置や方位を算出するための必要情報の取得を要求するものである。図１７に示す例では、必要情報として、ＲＳＲＰ及びＲＳＲＱの両者が要求されている(但し、ＲＳＲＰ及びＲＳＲＱのいずれか一方が要求されても良い)。また、Ｅ−ＣＩＤ ＭＥＡＳＵＲＥＭＥＮＴ ＩＮＩＴＩＡＴＩＯＮ ＲＥＱＵＥＳＴメッセージには、必要情報を一度のみ通知すべきことを示す"Ｏｎ Ｄｅｍａｎｄ"、又は必要情報を周期的に通知すべきことを示す"Ｐｅｒｉｏｄｉｃ"も指定される。【００１２】
そして、ｅＮＢ １０は、ＵＥ ２０に対して、ＲＲＣ(Ｒａｄｉｏ Ｒｅｓｏｕｒｃｅ Ｃｏｎｔｒｏｌ)メッセージの一種であるＲＲＣＣｏｎｎｅｃｔｉｏｎＲｅｃｏｎｆｉｇｕｒａｔｉｏｎを送信し、以て必要情報の報告を指示する(ステップＳ１０２)。なお、以降の説明においてＲＲＣメッセージを扱う場合、"ＲＲＣ：ＹＹＹ(任意のメッセージ種別)"と表記することがある。【００１３】
ここで、ＲＲＣＣｏｎｎｅｃｔｉｏｎＲｅｃｏｎｆｉｇｕｒａｔｉｏｎメッセージには、Ｍｅａｓｕｒｅｍｅｎｔ Ｏｂｊｅｃｔ、Ｒｅｐｏｒｔｉｎｇ Ｃｏｎｆｉｇｕｒａｔｉｏｎ、Ｍｅａｓｕｒｅｍｅｎｔ Ｉｄｅｎｔｉｔｙ、ｓ−Ｍｅａｓｕｒｅ、Ｍｅａｓｕｒｅｍｎｔ Ｇａｐ(ＭｅａｓＧａｐ)等が設定される。【００１４】
この内、Ｍｅａｓｕｒｅｍｅｎｔ Ｏｂｊｅｃｔには、ＵＥ ２０が測定すべき周波数及び隣接セル(ｎｅｉｇｈｂｏｕｒｉｎｇ ｃｅｌｌ、ｅＮＢ １０に隣接して設置される他の無線基地局により形成されるセル)に関する情報が含まれる。【００１５】
図１８に、隣接セルの幾つかの配置例を示す。この内、Ｉｎｔｒａ−Ｆｒｅｑ隣接セル５１は、在圏セル(ｓｅｒｖｉｎｇ ｃｅｌｌ、ｅＮＢ １０により形成されるセル)５０と同一の周波数で運用され、且つそのカバレッジの一部が在圏セル５０のカバレッジと重複するセルである。また、Ｉｎｔｅｒ−Ｆｒｅｑ隣接セル５２Ａ及び５２Ｂ(以下、符号５２で総称することがある)は、共に、在圏セル５０とは異なる周波数で運用されるセルである。但し、セル５２Ａのカバレッジは、在圏セル５０のカバレッジを包含する(在圏セル５０のカバレッジと略同等か、或いは在圏セル５０のカバレッジより広い)。一方、セル５２Ｂは、そのカバレッジの一部が在圏セル５０のカバレッジと重複する。さらに、Ｉｎｔｅｒ−ＲＡＴ隣接セル５３Ａ及び５３Ｂ(以下、符号５３で総称することがある)は、共に、ｅＮＢ １０とは異なる無線アクセス技術(ＲＡＴ：Ｒａｄｉｏ Ａｃｃｅｓｓ Ｔｅｃｈｎｏｌｏｇｙ)が適用される無線基地局により形成されるセルである。但し、セル５３Ａのカバレッジは、在圏セル５０のカバレッジを包含する。一方、セル５３Ｂは、そのカバレッジの一部が在圏セル５０のカバレッジと重複する。これらの隣接セル５１〜５３は、いずれもＵＥ ２０による測定の対象として指定され得る。【００１６】
次に、Ｒｅｐｏｒｔｉｎｇ Ｃｏｎｆｉｇｕｒａｔｉｏｎには、ＵＥ ２０が測定結果の報告に用いるべきイベント種別、及びその報告条件が指定される。また、Ｒｅｐｏｒｔｉｎｇ Ｃｏｎｆｉｇｕｒａｔｉｏｎには、上記の"Ｏｎ Ｄｅｍａｎｄ"又は"Ｐｅｒｉｏｄｉｃ"も指定される。【００１７】
次に、Ｍｅａｓｕｒｅｍｅｎｔ Ｉｄｅｎｔｉｔｙは、ｍｅａｓＩｄと、ｍｅａｓＯｂｊｅｃｔＩｄと、ｒｅｐｏｒｔＣｏｎｆｉｇＩｄとで構成される。ｍｅａｓＯｂｊｅｃｔＩｄは、上記のＭｅａｓｕｒｅｍｅｎｔ Ｏｂｊｅｃｔと１対１に対応付けて定義されている。すなわち、ＵＥ ２０は、ｍｅａｓＯｂｊｅｃｔＩｄから、測定すべき周波数に関する情報及び周辺セルに関する情報を把握することが可能である。また、ｒｅｐｏｒｔＣｏｎｆｉｇＩｄは、上記のＲｅｐｏｒｔｉｎｇ Ｃｏｎｆｉｇｕｒａｔｉｏｎと１対１に対応付けて定義されている。すなわち、ＵＥ ２０は、ｒｅｐｏｒｔＣｏｎｆｉｇＩｄから、測定結果の報告に用いるべきイベント種別及びその報告条件を把握することが可能である。さらに、ｍｅａｓＩｄは、ｍｅａｓＯｂｊｅｃｔＩｄとｒｅｐｏｒｔＣｏｎｆｉｇＩｄとを対応付ける識別子である。図１７に示す例では、ｅＮＢ １０は、或るｍｅａｓＯｂｊｅｃｔＩｄ＃２及びｒｅｐｏｒｔＣｏｎｆｉｇＩｄ＃２と、これらを対応付けるｍｅａｓＩｄ＃２とを、ＲＲＣＣｏｎｎｅｃｔｉｏｎＲｅｃｏｎｆｉｇｕｒａｔｉｏｎメッセージに含めている。【００１８】
次に、ｓ−Ｍｅａｓｕｒｅには、ｍｅａｓＩｄに対応する隣接セルの測定条件としての閾値が設定される。ＵＥ ２０は、この閾値と、在圏セルのＲＳＲＰとを比較し、在圏セルのＲＳＲＰが閾値以下である場合、隣接セルの測定を行う。すなわち、在圏セルのＲＳＲＰが閾値以下である場合、ＵＥ ２０は、在圏セル及び隣接セルの両者について測定を行う。一方、在圏セルのＲＳＲＰが閾値を超過する場合、ＵＥ ２０は、隣接セルの測定を行わずに、在圏セルの測定のみを行う。また、図１７に示す如くｓ−Ｍｅａｓｕｒｅに閾値が設定されない場合、ＵＥ ２０は、即時に、在圏セル及び隣接セルの両者について測定を行う。【００１９】
ここで、ｓ−Ｍｅａｓｕｒｅに閾値を設定しないことのメリットは、大略、Ｅ−ＳＭＬＣ ４０でＵＥ ２０の地理的な位置や方位を高精度に算出可能な点にある。【００２０】
具体的には、ｓ−Ｍｅａｓｕｒｅに閾値が設定され、且つ在圏セルのＲＳＲＰが閾値を超過する場合、ＵＥ ２０は、在圏セルのＲＳＲＰ及びＲＳＲＱのみを報告する。これらのＲＳＲＰ及びＲＳＲＱは、Ｅ−ＳＭＬＣ ４０によるｅＮＢ １０とＵＥ ２０の間の距離等の推定に供される。ｅＮＢ １０とＵＥ ２０の間で無線伝送が良好に行われる環境下であれば、Ｅ−ＳＭＬＣ ４０は、在圏セルのＲＳＲＰ及びＲＳＲＱのみからＵＥ ２０の地理的な位置を正確に算出できる。【００２１】
しかしながら、無線伝送が劣悪な環境(例えば、ビル等の建物が密集している環境)下では、例え在圏セルのＲＳＲＰが閾値を超過する場合であっても、Ｅ−ＳＭＬＣ ４０は、在圏セルのＲＳＲＰ及びＲＳＲＱのみからではＵＥ ２０の地理的な位置を正確には算出できない虞がある。【００２２】
例えば、図１８に示した隣接セル５１〜５３のいずれかのＲＳＲＰ及びＲＳＲＱが得られれば、Ｅ−ＳＭＬＣ ４０は、ＵＥ ２０の地理的な位置をより正確に算出することができる。特に、Ｉｎｔｅｒ−Ｆｒｅｑ隣接セル５２Ａ及びＩｎｔｅｒ−ＲＡＴ隣接セル５３Ａは在圏セル５０とカバレッジが略同等であるため、これらの隣接セル５２Ａ及び５３ＡのＲＳＲＰ及びＲＳＲＱは、Ｅ−ＳＭＬＣ ４０での算出に有用である。【００２３】
従って、ｅＮＢ １０は、ｓ−Ｍｅａｓｕｒｅに閾値を設定せずに、ＲＲＣＣｏｎｎｅｃｔｉｏｎＲｅｃｏｎｆｉｇｕｒａｔｉｏｎメッセージをＵＥ ２０へ送信することが想定される。【００２４】
最後に、ＭｅａｓＧａｐには、Ｉｎｔｅｒ−Ｆｒｅｑ隣接セルの測定又はＩｎｔｅｒ−ＲＡＴ隣接セルの測定を行う場合、その測定タイミング(より詳細には、ｓｕｂｆｒａｍｅ)が指定される。【００２５】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ１０３)。今、上記のステップＳ１０２より前の時点で、ＵＥ ２０内のメモリに図１９Ａに示す如く設定情報が記憶されていたとする。ここで、図１９Ａ中のｓ−Ｍｅａｓｕｒｅ(５０)は、上記の閾値が"５０ｄＢ"に設定されていることを示す。また、ＭｅａｓＧａｐ(Ｒｅｌｅａｓｅ)は、上記の測定タイミングが設定されていないことを示す。この場合、図１９Ｂに示すように、ＵＥ ２０は、メモリにｍｅａｓＩｄ＃２、ｍｅａｓＯｂｊｅｃｔＩｄ＃２、及びｒｅｐｏｒｔＣｏｎｆｉｇＩｄ＃２を追記すると共に、ｓ−Ｍｅａｓｕｒｅを"Ｎｏｔ−ｓｅｔｕｐ"へ更新し、ＭｅａｓＧａｐを"Ｓｅｔｕｐ"へ更新する。【００２６】
この後、ＵＥ ２０は、ｅＮＢ １０に対して、ＲＲＣ：ＲＲＣＣｏｎｎｅｃｔｉｏｎＲｅｃｏｎｆｉｇｕｒａｔｉｏｎＣｏｍｐｌｅｔｅメッセージを送信する(ステップＳ１０４)。【００２７】
また、ＵＥ ２０は、上記のステップＳ１０３で更新した設定情報に従って、在圏セル及び隣接セルの両者について測定を開始する。そして、ＵＥ ２０は、測定結果をＲＲＣ：ＭｅａｓｕｒｅｍｅｎｔＲｅｐｏｒｔメッセージに設定し、ｅＮＢ １０へ報告する(ステップＳ１０５＿１)。なお、隣接セルの測定を開始していない場合(すなわち、ｓ−Ｍｅａｓｕｒｅに閾値が設定され、且つ在圏セルのＲＳＲＰが閾値以下であった場合)、ＵＥ ２０は、在圏セルの測定結果のみをＭｅａｓｕｒｅｍｅｎｔＲｅｐｏｒｔメッセージに設定する。【００２８】
そして、ｅＮＢ １０は、ＵＥ ２０から報告された測定結果をＬＰＰａ：Ｅ−ＣＩＤ ＭＥＡＳＵＲＥＭＥＮＴ ＩＮＩＴＩＡＴＩＯＮ ＲＥＳＰＯＮＳＥメッセージに設定し、ＭＭＥ ３０を介してＥ−ＳＭＬＣ ４０へ通知する(ステップＳ１０６＿１)。【００２９】
また、上記の"Ｐｅｒｉｏｄｉｃ"が指定されていた場合、ＵＥ ２０は、所定の周期で測定を繰り返し行い、測定結果をＭｅａｓｕｒｅｍｅｎｔＲｅｐｏｒｔメッセージに設定してｅＮＢ １０へ順次報告する(ステップＳ１０５＿２〜Ｓ１０５＿ｊ)。【００３０】
一方、ｅＮＢ １０は、後述するステップＳ１０７で、Ｅ−ＳＭＬＣ ４０からＬＰＰａ：Ｅ−ＣＩＤ ＭＥＡＳＵＲＥＭＥＮＴ ＴＥＲＭＩＮＡＴＩＯＮ ＣＯＭＭＡＮＤメッセージを受信する迄、ＵＥ ２０からの測定結果をＬＰＰａ：Ｅ−ＣＩＤ ＭＥＡＳＵＲＥＭＥＮＴ ＲＥＰＯＲＴメッセージに設定し、ＭＭＥ ３０を介してＥ−ＳＭＬＣ ４０へ順次通知する(ステップＳ１０６＿２〜Ｓ１０６＿ｊ)。【００３１】
そして、ｅＮＢ １０は、Ｅ−ＣＩＤ ＭＥＡＳＵＲＥＭＥＮＴ ＴＥＲＭＩＮＡＴＩＯＮ ＣＯＭＭＡＮＤメッセージの受信をトリガとして、Ｅ−ＳＭＬＣ ４０へのＥ−ＣＩＤ ＭＥＡＳＵＲＥＭＥＮＴ ＲＥＰＯＲＴメッセージの通知を停止する(ステップＳ１０７)。【００３２】
この後、図２０に示すように、ｅＮＢ １０は、ＵＥ ２０の設定を更新前の状態に戻すべく、ＲＲＣＣｏｎｎｅｃｔｉｏｎＲｅｃｏｎｆｉｇｕｒａｔｉｏｎメッセージをＵＥ ２０へ再び送信する(ステップＳ２０１)。具体的には、ｅＮＢ １０は、ＲＲＣＣｏｎｎｅｃｔｉｏｎＲｅｃｏｎｆｉｇｕｒａｔｉｏｎメッセージに、ｍｅａｓＩｄ＃２、ｓ−Ｍｅａｓｕｒｅ(５０)、及びＭｅａｓＧａｐ(Ｒｅｌｅａｓｅ)を設定する。【００３３】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ２０２)。なお、以降の説明においては、ＵＥ ２０の設定情報を更新前の状態に戻すことを"設定削除"と表記することがある。具体的には、図１９Ｃに示すように、ＵＥ ２０は、メモリからｍｅａｓＩｄ＃２(並びにこれに対応付けて記憶したｍｅａｓＯｂｊｅｃｔＩｄ＃２及びｒｅｐｏｒｔＣｏｎｆｉｇＩｄ＃２)を削除すると共に、ｓ−Ｍｅａｓｕｒｅを"５０ｄＢ"へ更新し、ＭｅａｓＧａｐを"Ｒｅｌｅａｓｅ"へ更新する。【００３４】
なお、上記のステップＳ１０１で"Ｏｎ Ｄｅｍａｎｄ"を指定した場合、ｅＮＢ １０は、上記のステップＳ２０１でＲＲＣＣｏｎｎｅｃｔｉｏｎＲｅｃｏｎｆｉｇｕｒａｔｉｏｎメッセージにｍｅａｓＩｄ＃２を設定する必要は無い。"Ｏｎ Ｄｅｍａｎｄ"が指定された場合、ＵＥ ２０は、上記のステップＳ１０５＿１でＭｅａｓｕｒｅｍｅｎｔＲｅｐｏｒｔメッセージを送信した後、自律的にメモリからｍｅａｓＩｄ＃２を削除する。【００３５】
この後、ＵＥ ２０は、ｅＮＢ １０に対して、ＲＲＣＣｏｎｎｅｃｔｉｏｎＲｅｃｏｎｆｉｇｕｒａｔｉｏｎＣｏｍｐｌｅｔｅメッセージを再び送信する(ステップＳ２０３)。これにより、ＵＥ ２０は、Ｕｐｌｉｎｋ Ｅ−ＣＩＤ Ｐｏｓｉｔｉｏｎｉｎｇ Ｐｒｏｃｅｄｕｒｅの開始前と同様に動作することとなる。
【先行技術文献】
【非特許文献】
【００３６】
【非特許文献１】３ＧＰＰ ＴＳ ３６．３００、"Ｅｖｏｌｖｅｄ Ｕｎｉｖｅｒｓａｌ Ｔｅｒｒｅｓｔｒｉａｌ Ｒａｄｉｏ Ａｃｃｅｓｓ (Ｅ−ＵＴＲＡ) ａｎｄ Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ (Ｅ−ＵＴＲＡＮ)； Ｏｖｅｒａｌｌ ｄｅｓｃｒｉｐｔｉｏｎ"、Ｖ９．２．０、２００９年１２月、章４、頁１７〜２７
【非特許文献２】３ＧＰＰ ＴＳ ３６．３３１、"Ｅｖｏｌｖｅｄ Ｕｎｉｖｅｒｓａｌ Ｔｅｒｒｅｓｔｒｉａｌ Ｒａｄｉｏ Ａｃｃｅｓｓ (Ｅ−ＵＴＲＡ) Ｒａｄｉｏ Ｒｅｓｏｕｒｃｅ Ｃｏｎｔｒｏｌ (ＲＲＣ)； Ｐｒｏｔｏｃｏｌ ｓｐｅｃｉｆｉｃａｔｉｏｎ"、Ｖ９．１．０、２００９年１２月、章５．３．５．１〜５．３．５．３、５．５．２、５．５．３、５．５．５、５．５．６、６．２．２及び６．３．５、頁４０〜４２、６４〜７０、７６〜７９、９１〜１１７及び１６５〜１８０
【非特許文献３】３ＧＰＰ ＴＳ ３６．３０５、"Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ (Ｅ−ＵＴＲＡＮ); Ｓｔａｇｅ ２ ｆｕｎｃｔｉｏｎａｌ ｓｐｅｃｉｆｉｃａｔｉｏｎ ｏｆ Ｕｓｅｒ Ｅｑｕｉｐｍｅｎｔ (ＵＥ) ｐｏｓｉｔｉｏｎｉｎｇ ｉｎ Ｅ−ＵＴＲＡＮ"、Ｖ９．１．０、２００９年１２月、章５、頁１１〜１５
【非特許文献４】３ＧＰＰ ＴＳ ３６．４５５、"Ｅｖｏｌｖｅｄ Ｕｎｉｖｅｒｓａｌ Ｔｅｒｒｅｓｔｒｉａｌ Ｒａｄｉｏ Ａｃｃｅｓｓ (Ｅ−ＵＴＲＡ); ＬＴＥ Ｐｏｓｉｔｉｏｎｉｎｇ Ｐｒｏｔｏｃｏｌ Ａ (ＬＰＰａ)"、Ｖ９．１．０、２０１０年３月、章８．２．１、８．２．３、８．２．４、９．１．１．１、９．１．１．２、９．１．１．５及び９．１．１．６、頁１０〜１２及び１４〜１６
【特許文献】
【００３７】
【特許文献１】特表２０１０−５１２０９８号公報
【発明の概要】
【発明が解決しようとする課題】
【００３８】
しかしながら、上記の非特許文献２〜４には、通信リソースの利用効率が低いという課題があった。【００３９】
具体的には、ＵＥからｅＮＢへ周期的に測定結果(ＭｅａｓｕｒｅｍｅｎｔＲｅｐｏｒｔメッセージ)を報告させる場合、ＭｅａｓｕｒｅｍｅｎｔＲｅｐｏｒｔメッセージの送信を停止するためには、ｅＮＢがＥ−ＳＭＬＣからＥ−ＣＩＤ ＭＥＡＳＵＲＥＭＥＮＴ ＴＥＲＭＩＮＡＴＩＯＮ ＣＯＭＭＡＮＤメッセージを受信することが必須であり、以て有線リソースを浪費する。【００４０】
また、ｍｅａｓＩＤ、ｓ−Ｍｅａｓｕｒｅ、及びＭｅａｓＧａｐの設定削除を行うためには、ｅＮＢがＵＥに対してＲＲＣＣｏｎｎｅｃｔｉｏｎＲｅｃｏｎｆｉｇｕｒａｔｉｏｎメッセージを再送信することが必須であり、以て無線リソースを浪費する。【００４１】
ここで、ｍｅａｓＩＤの設定削除、ｓ−Ｍｅａｓｕｒｅの設定削除、及びＭｅａｓＧａｐの設定削除が必要な理由を下記に示す。【００４２】
[ｍｅａｓＩＤの設定削除が必要な理由]
ＵＥからｅＮＢへ周期的に測定結果を報告させた際にｍｅａｓＩＤの設定を削除しない場合、ＵＥは、ｍｅａｓＩｄに対応するセルの測定を無駄に継続して行う。このため、ＵＥにおいて、消費電力の増大等の問題が生じる。従って、ｍｅａｓＩＤの設定削除が必要である。【００４３】
[ｓ−Ｍｅａｓｕｒｅの設定削除が必要な理由]
ｓ−Ｍｅａｓｕｒｅの設定は、全てのｍｅａｓＩＤに共通して適用される。このため、ｓ−Ｍｅａｓｕｒｅが"Ｎｏｔ−ｓｅｔｕｐ"に設定されたままである場合、ＵＥは、Ｕｐｌｉｎｋ Ｅ−ＣＩＤ Ｐｏｓｉｔｉｏｎｉｎｇ Ｐｒｏｃｅｄｕｒｅの開始前から設定されていたｍｅａｓＩＤに対応する隣接セルの測定を、在圏セルの通信品質に関わらず行う。例えば、ｅＮＢがハンドオーバ先セルを特定する目的でＵＥに或るｍｅａｓＩＤについての測定を行わせているとする。この場合、ＵＥは、例え在圏セルの通信品質が保たれていても、隣接セルの測定を無駄に行い、以て消費電力の増大等の問題が生じる。従って、ｓ−Ｍｅａｓｕｒｅの設定削除が必要である。【００４４】
[ＭｅａｓＧａｐの設定削除が必要な理由]
ＭｅａｓＧａｐの設定を削除しない場合、ＵＥは、この設定に従って継続して動作する。ここで、ＭｅａｓＧａｐで指定されたｓｕｂｆｒａｍｅではＵＬ(Ｕｐｌｉｎｋ)送信及びＤＬ(Ｄｏｗｎｌｉｎｋ)送信のスケジューリングを実施してはならないという制約がある。このため、ＭｅａｓＧａｐ設定中のＵＥが多数存在する場合、ＵＬ送信及びＤＬ送信のスケジュールに関する制約が増大し、以て伝送効率が著しく低下する虞がある。従って、ＭｅａｓＧａｐの設定削除が必要である。【００４５】
なお、参考技術として、特許文献１には、ＵＥが、スケジュール情報を受信すべき間欠的なインターバルで在圏セル及び隣接セルの測定を行い、所定時間に亘って"隣接セルの受信信号強度≧在圏セルの受信信号強度"が成立する場合に測定結果をｅＮＢへ送信する技術が記載されている。しかしながら、この技術は、上記の課題に何ら対処できず、そもそも、ＵＥからの測定結果の報告を抑制するものであるため、ＬＣＳには不適である。【００４６】
従って、本発明の目的は、ＬＣＳの提供に際して移動局における無線信号の受信状況を取得する場合において、通信リソースの利用効率を向上させることにある。
【課題を解決するための手段】
【００４７】
上記の目的を達成するため、本発明の第１の態様に係る基地局は、移動局との無線通信を行う第１の通信手段と、前記移動局の位置に応じたサービスを提供するサービス提供装置との通信を行う第２の通信手段と、前記第１及び第２の通信手段を制御する制御手段とを備える。前記制御手段は、前記サービス提供装置からの一の要求に応じて、前記移動局に対し、自基地局からの無線信号の受信状況に関する第１の測定と、前記サービス提供装置から要求された前記第１の測定の結果を報告すべき報告回数とを指示し、前記移動局から前記報告回数に亘って報告される前記第１の測定の結果を、前記サービス提供装置へ順次通知し、前記通知を前記報告回数に亘って行った場合に、前記一の要求への応答を自律的に完了する。【００４８】
また、本発明の第２の態様に係る基地局は、移動局との無線通信を行う第１の通信手段と、前記移動局の位置に応じたサービスを提供するサービス提供装置との通信を行う第２の通信手段と、前記第１及び第２の通信手段を制御する制御手段とを備える。前記制御手段は、前記サービス提供装置からの要求に応じて、前記移動局に対し、自基地局に隣接して設置される他の基地局からの無線信号の受信状況を、予め設定された測定条件に関わらず測定するよう指示し、前記移動局から報告される前記測定の結果を、前記サービス提供装置へ通知する。【００４９】
また、本発明の第３の態様に係る基地局は、移動局との無線通信を行う第１の通信手段と、前記移動局の位置に応じたサービスを提供するサービス提供装置との通信を行う第２の通信手段と、前記第１及び第２の通信手段を制御する制御手段とを備える。前記制御手段は、前記サービス提供装置からの要求に応じて、前記移動局に対し、自基地局に隣接して設置され、且つ自基地局とは異なる無線周波数を使用する又は自基地局とは異なる無線アクセス技術が適用された他の基地局からの無線信号の受信状況に関する測定と、前記測定を行うべきタイミングとを指示すると共に、前記測定の終了時に前記タイミングに関する設定を無効化するよう指示し、前記移動局から報告される前記測定の結果を、前記サービス提供装置へ通知する。【００５０】
また、本発明の第４の態様に係るサービス提供装置は、基地局との通信を行う通信手段と、前記通信手段を制御して、前記基地局に在圏する移動局の位置に応じたサービスを提供する制御手段とを備える。前記制御手段は、前記基地局に対して、前記移動局における少なくとも前記基地局からの無線信号の受信状況に関する測定の結果を、予め定めた回数に亘って通知するよう要求し、前記通知が前記回数に亘って行われた場合に、前記基地局による前記要求への応答が完了したと判断し、前記測定の結果を用いて前記位置を算出する。【００５１】
また、本発明の第５の態様に係る移動局は、基地局との無線通信を行う通信手段と、前記通信手段を制御する制御手段とを備える。前記制御手段は、前記基地局からの指示に応じて、少なくとも前記基地局からの無線信号の受信状況を、前記基地局から指示された回数に亘って測定し、前記測定の結果を、前記回数に亘って前記基地局へ順次報告する。【００５２】
また、本発明の第６の態様に係る移動局は、基地局との無線通信を行う通信手段と、前記通信手段を制御する制御手段とを備える。前記制御手段は、前記基地局からの一の指示に応じて、前記基地局に隣接して設置される他の基地局からの無線信号の受信状況を、予め設定された測定条件に関わらず測定し、前記測定の結果を、前記基地局へ報告する。【００５３】
また、本発明の第７の態様に係る移動局は、基地局との無線通信を行う通信手段と、前記通信手段を制御する制御手段とを備える。前記制御手段は、前記基地局からの一の指示に応じて、前記基地局に隣接して設置され、且つ前記基地局とは異なる無線周波数を使用する又は前記基地局とは異なる無線アクセス技術が適用された他の基地局からの無線信号の受信状況を、前記基地局から指示されたタイミングで測定すると共に、前記測定の終了時に、前記タイミングに関する設定を無効化し、前記測定の結果を、前記基地局へ報告する。【００５４】
また、本発明の第８の態様に係る移動通信システムは、基地局と、前記基地局との無線通信を行う移動局と、前記基地局との通信を行い、前記移動局の位置に応じたサービスを提供するサービス提供装置とを備える。前記サービス提供装置は、前記基地局に対して、前記移動局における少なくとも前記基地局からの無線信号の受信状況に関する測定の結果を、予め定めた回数に亘って通知するよう要求すると共に、前記通知が前記回数に亘って行われた場合に、前記測定の結果を用いて前記位置を算出する。前記基地局は、前記要求に応じて、前記移動局に対し前記測定を前記回数に亘って行うよう指示すると共に、前記移動局から前記回数に亘って報告される前記測定の結果を、前記サービス提供装置へ順次通知する。前記移動局は、前記指示に応じて、前記受信状況を前記回数に亘って測定すると共に、前記測定の結果を、前記回数に亘って前記基地局へ順次報告する。【００５５】
また、本発明の第９の態様に係る移動通信システムは、基地局と、前記基地局との無線通信を行う移動局と、前記基地局との通信を行い、前記移動局の位置に応じたサービスを提供するサービス提供装置とを備える。前記基地局は、前記サービス提供装置からの要求に応じて、前記移動局に対し、前記基地局に隣接して設置される他の基地局からの無線信号の受信状況を、予め設定された測定条件に関わらず測定するよう指示すると共に、前記移動局から報告される前記測定の結果を前記サービス提供装置へ通知する。前記移動局は、前記指示に応じて、前記受信状況を前記測定条件に関わらず測定すると共に、前記測定の結果を前記基地局へ報告する。前記サービス提供装置は、前記測定の結果を用いて前記位置を算出する。【００５６】
また、本発明の第１０の態様に係る移動通信システムは、基地局と、前記基地局との無線通信を行う移動局と、前記基地局との通信を行い、前記移動局の位置に応じたサービスを提供するサービス提供装置とを備える。前記基地局は、前記サービス提供装置からの要求に応じて、前記移動局に対し、前記基地局に隣接して設置され、且つ前記基地局とは異なる無線周波数を使用する又は前記基地局とは異なる無線アクセス技術が適用された他の基地局からの無線信号の受信状況に関する測定と、前記測定を行うべきタイミングとを指示すると共に、前記測定の終了時に前記タイミングに関する設定を無効化するよう指示し、前記移動局から報告される前記測定の結果を前記サービス提供装置へ通知する。前記移動局は、前記指示に応じて、前記受信状況を前記タイミングで測定すると共に、前記測定の終了時に前記タイミングに関する設定を無効化し、前記測定の結果を前記基地局へ報告する。前記サービス提供装置は、前記測定の結果を用いて前記位置を算出する。【００５７】
また、本発明の第１１の態様に係る通信制御方法は、移動局との無線通信、及び前記移動局の位置に応じたサービスを提供するサービス提供装置との通信を行う基地局の通信制御方法を提供する。この通信制御方法は、前記サービス提供装置からの一の要求に応じて、前記移動局に対し、自基地局からの無線信号の受信状況に関する測定と、前記サービス提供装置から要求された前記測定の結果を報告すべき報告回数とを指示し、前記移動局から前記報告回数に亘って報告される前記測定の結果を、前記サービス提供装置へ順次通知し、前記通知を前記報告回数に亘って行った場合に、前記一の要求への応答を自律的に完了することを含む。【００５８】
また、本発明の第１２の態様に係る通信制御方法は、移動局との無線通信、及び前記移動局の位置に応じたサービスを提供するサービス提供装置との通信を行う基地局の通信制御方法を提供する。この通信制御方法は、前記サービス提供装置からの要求に応じて、前記移動局に対し、自基地局に隣接して設置される他の基地局からの無線信号の受信状況を、予め設定された測定条件に関わらず測定するよう指示し、前記移動局から報告される前記測定の結果を、前記サービス提供装置へ通知することを含む。【００５９】
また、本発明の第１３の態様に係る通信制御方法は、移動局との無線通信、及び前記移動局の位置に応じたサービスを提供するサービス提供装置との通信を行う基地局の通信制御方法を提供する。この通信制御方法は、前記サービス提供装置からの要求に応じて、前記移動局に対し、自基地局に隣接して設置され、且つ自基地局とは異なる無線周波数を使用する又は自基地局とは異なる無線アクセス技術が適用された他の基地局からの無線信号の受信状況に関する測定と、前記測定を行うべきタイミングとを指示すると共に、前記測定の終了時に前記タイミングに関する設定を無効化するよう指示し、前記移動局から報告される前記測定の結果を、前記サービス提供装置へ通知することを含む。【００６０】
また、本発明の第１４の態様に係る通信制御方法は、基地局と通信して、前記基地局に在圏する移動局の位置に応じたサービスを提供するサービス提供装置の通信制御方法を提供する。この通信制御方法は、前記基地局に対して、前記移動局における少なくとも前記基地局からの無線信号の受信状況に関する測定の結果を、予め定めた回数に亘って通知するよう要求し、前記通知が前記回数に亘って行われた場合に、前記基地局による前記要求への応答が完了したと判断し、前記測定の結果を用いて前記位置を算出することを含む。【００６１】
また、本発明の第１５の態様に係る通信制御方法は、基地局との無線通信を行う移動局の通信制御方法を提供する。この通信制御方法は、前記基地局からの指示に応じて、少なくとも前記基地局からの無線信号の受信状況を、前記基地局から指示された回数に亘って測定し、前記測定の結果を、前記回数に亘って前記基地局へ順次報告することを含む。【００６２】
また、本発明の第１６の態様に係る通信制御方法は、基地局との無線通信を行う移動局の通信制御方法を提供する。この通信制御方法は、前記基地局からの一の指示に応じて、前記基地局に隣接して設置される他の基地局からの無線信号の受信状況を、予め設定された測定条件に関わらず測定し、前記測定の結果を、前記基地局へ報告することを含む。【００６３】
さらに、本発明の第１７の態様に係る通信制御方法は、基地局との無線通信を行う移動局の通信制御方法を提供する。この通信制御方法は、前記基地局からの一の指示に応じて、前記基地局に隣接して設置され、且つ前記基地局とは異なる無線周波数を使用する又は前記基地局とは異なる無線アクセス技術が適用された他の基地局からの無線信号の受信状況を、前記基地局から指示されたタイミングで測定すると共に、前記測定の終了時に、前記タイミングに関する設定を無効化し、前記測定の結果を、前記基地局へ報告することを含む。
【発明の効果】
【００６４】
本発明によれば、ＬＣＳの提供に際して移動局における無線信号の受信状況を取得する場合において、通信リソースの利用効率を向上させることが可能である。
【図面の簡単な説明】
【００６５】
【図１】本発明の実施の形態１〜４に共通の基地局の構成例を示したブロック図である。
【図２】本発明の実施の形態１〜４に共通の移動局の構成例を示したブロック図である。
【図３】本発明の実施の形態１〜４に共通に用いるＭＭＥの構成例を示したブロック図である。
【図４】本発明の実施の形態１〜４に共通のサービス提供装置の構成例を示したブロック図である。
【図５】本発明の実施の形態１に係る移動通信システムの動作例を示したシーケンス図である。
【図６Ａ】本発明の実施の形態１に係る移動局における設定情報の記憶例を示した図である。
【図６Ｂ】本発明の実施の形態１に係る移動局における設定情報の第１の更新例を示した図である。
【図６Ｃ】本発明の実施の形態１に係る移動局における設定情報の第２の更新例を示した図である。
【図７】本発明の実施の形態２に係る移動通信システムの動作例を示したシーケンス図である。
【図８Ａ】本発明の実施の形態２に係る移動局における設定情報の記憶例を示した図である。
【図８Ｂ】本発明の実施の形態２に係る移動局における設定情報の第１の更新例を示した図である。
【図８Ｃ】本発明の実施の形態２に係る移動局における設定情報の第２の更新例を示した図である。
【図９】本発明の実施の形態３に係る移動通信システムの動作例を示したシーケンス図である。
【図１０Ａ】本発明の実施の形態３に係る移動局における設定情報の記憶例を示した図である。
【図１０Ｂ】本発明の実施の形態３に係る移動局における設定情報の第１の更新例を示した図である。
【図１０Ｃ】本発明の実施の形態３に係る移動局における設定情報の第２の更新例を示した図である。
【図１１】本発明の実施の形態３の変形例に係る移動通信システムの動作例を示したシーケンス図である。
【図１２Ａ】本発明の実施の形態３の変形例に係る移動局における設定情報の記憶例を示した図である。
【図１２Ｂ】本発明の実施の形態３の変形例に係る移動局における設定情報の第１の更新例を示した図である。
【図１２Ｃ】本発明の実施の形態３の変形例に係る移動局における設定情報の第２の更新例を示した図である。
【図１２Ｄ】本発明の実施の形態３の変形例に係る移動局における設定情報の第３の更新例を示した図である。
【図１３】本発明の実施の形態４に係る移動通信システムの動作例を示したシーケンス図である。
【図１４Ａ】本発明の実施の形態４に係る移動局における設定情報の記憶例を示した図である。
【図１４Ｂ】本発明の実施の形態４に係る移動局における設定情報の第１の更新例を示した図である。
【図１４Ｃ】本発明の実施の形態４に係る移動局における設定情報の第２の更新例を示した図である。
【図１５】一般的なＲＡＮの構成例を示したブロック図である。
【図１６】ＬＣＳを実現する一般的な移動通信システムの構成例を示したブロック図である。
【図１７】ＬＣＳを実現する一般的な移動通信システムの動作例を示したシーケンス図である。
【図１８】隣接セルの配置例を示した図である。
【図１９Ａ】ＬＣＳを実現する一般的な移動通信システムに用いる移動局における、設定情報の記憶例を示した図である。
【図１９Ｂ】ＬＣＳを実現する一般的な移動通信システムに用いる移動局における、設定情報の第１の更新例を示した図である。
【図１９Ｃ】ＬＣＳを実現する一般的な移動通信システムに用いる移動局における、設定情報の第２の更新例を示した図である。
【図２０】ＬＣＳを実現する一般的な移動通信システムにおける設定削除の動作例を示したシーケンス図である。
【発明を実施するための形態】
【００６６】
以下、本発明に係る基地局、サービス提供装置、及び移動局、並びにこれらを適用する移動通信システムの実施の形態１〜４を、図１〜図５、図６Ａ〜図６Ｃ、図７、図８Ａ〜図８Ｃ、図９、図１０Ａ〜図１０Ｃ、図１１、図１２Ａ〜図１２Ｄ、図１３、及び図１４Ａ〜図１４Ｃを参照して説明する。なお、各図面において、同一要素には同一の符号が付されており、説明の明確化のため、必要に応じて重複説明は省略される。
【００６７】
また、各実施の形態においては、ＬＴＥに則した移動通信システムを一例として扱う。但し、各実施の形態で示される技術は、ＬＴＥに限らず、ＬＣＳと同等のサービスを実現する他の通信規格に則した移動通信システムに適用することもできる。
【００６８】
[実施の形態１]
本実施の形態に係る移動通信システムは、図１５及び図１６と同様に構成される。
【００６９】
一方、図１に示すように、本実施の形態に係るｅＮＢ １０は、Ｕｕ伝送部１１と、Ｓ１伝送部１２と、これらの伝送部１１及び１２を制御する制御部１３とを含む。Ｕｕ伝送部１１は、上述したＵｕインタフェースを介して、ＵＥとの無線通信を行う機能を有する。Ｓ１伝送部１２は、上述したＳ１インタフェース及びＭＭＥを介して、Ｅ−ＳＭＬＣとの通信を行う機能を有する。
【００７０】
制御部１３は、ＲＲＣレイヤ１３１と、Ｓ１−ＡＰ(Ｓ１ Ａｐｐｌｉｃａｔｉｏｎ Ｐｒｏｔｏｃｏｌ)レイヤ１３２と、ＬＰＰａレイヤ１３３と、コントローラ１３４とを含む。この内、ＲＲＣレイヤ１３１は、ＲＲＣメッセージの解読及び生成処理を実行する。また、Ｓ１−ＡＰレイヤ１３２は、Ｓ１−ＡＰメッセージの解読及び生成処理を実行する。また、ＬＰＰａレイヤ１３３は、ＬＰＰａメッセージの解読及び生成処理を実行する。さらに、コントローラ１３４は、各レイヤ１３１〜１３３によるメッセージの解読結果に応じた処理を実行し、必要に応じて各レイヤ１３１〜１３３に対してメッセージの生成を指示する。
【００７１】
また、図２に示すように、本実施の形態に係るＵＥ ２０は、Ｕｕ伝送部２１と、この伝送部２１を制御する制御部２２とを含む。Ｕｕ伝送部２１は、Ｕｕインタフェースを介して、ｅＮＢ １０との無線通信を行う機能を有する。
【００７２】
制御部２２は、ＲＲＣレイヤ２２１と、コントローラ２２２とを含む。この内、ＲＲＣレイヤ２２１は、上記のＲＲＣレイヤ１３１と同様の機能を有する。また、コントローラ２２２は、レイヤ２２１によるＲＲＣメッセージの解読結果に応じた処理を実行し、必要に応じてレイヤ２２１対してＲＲＣメッセージの生成を指示する。
【００７３】
また、図３に示すように、本実施の形態に用いるＭＭＥ ３０は、Ｓ１伝送部３１と、ＳＬｓ伝送部３２と、制御部３３とを含む。Ｓ１伝送部３２は、Ｓ１インタフェースを介して、ｅＮＢ １０との通信を行う機能を有する。ＳＬｓ伝送部３２は、上述したＳＬｓインタフェースを介して、Ｅ−ＳＭＬＣとの通信を行う機能を有する。制御部３３は、大略、伝送部３１及び３２を制御して、ｅＮＢ １０とＥ−ＳＭＬＣの間のトラヒックを中継する機能を有する。具体的には、制御部３３は、Ｓ１−ＡＰレイヤ３３１と、ＬＣＳ−ＡＰ(ＬＣＳ Ａｐｐｌｉｃａｔｉｏｎ Ｐｒｏｔｏｃｏｌ)レイヤ３３２と、コントローラ３３３とを含む。この内、Ｓ１−ＡＰレイヤ３３１は、上記のＳ１−ＡＰレイヤ１３２と同様の機能を有する。また、ＬＣＳ−ＡＰレイヤ３３２は、ＬＣＳ−ＡＰメッセージの解読及び生成処理を実行する。さらに、コントローラ３３３は、各レイヤ３３１及び３３２によるメッセージの解読結果に応じた処理を実行し、必要に応じて各レイヤ３３１及び３３２に対してメッセージの生成を指示する。
【００７４】
さらに、図４に示すように、本実施の形態に係るＥ−ＳＭＬＣ ４０は、ＳＬｓ伝送部４１と、この伝送部４１を制御する制御部４２とを含む。ＳＬｓ伝送部４１は、ＳＬｓインタフェース及びＭＭＥ ３０を介して、ｅＮＢ １０との通信を行う機能を有する。
【００７５】
制御部４２は、ＬＣＳ−ＡＰレイヤ４２１と、ＬＬＰａレイヤ４２２と、コントローラ４２３とを含む。この内、ＬＣＳ−ＡＰレイヤ４２１は、上記のＬＣＳ−ＡＰレイヤ３３２と同様の機能を有する。また、ＬＬＰａレイヤ４２２は、上記のＬＰＰａレイヤ１３３と同様の機能を有する。さらに、コントローラ４２３は、各レイヤ４２１及び４２２によるメッセージの解読結果に応じた処理を実行し、必要に応じて各レイヤ４２１及び４２２に対してメッセージの生成を指示する。
【００７６】
以下、本実施の形態の動作を、図５及び図６Ａ〜図６Ｃを参照して詳細に説明する。
【００７７】
図５に示すように、まずＥ−ＳＭＬＣ ４０は、ＭＭＥ ３０を介してｅＮＢ １０に対し、ＬＬＰａ：Ｅ−ＣＩＤ ＭＥＡＳＵＲＥＭＥＮＴ ＩＮＩＴＩＡＴＩＯＮ ＲＥＱＵＥＳＴを送信する(ステップＳ１１)。
【００７８】
ここで、Ｅ−ＣＩＤ ＭＥＡＳＵＲＥＭＥＮＴ ＩＮＩＴＩＡＴＩＯＮ ＲＥＱＵＥＳＴメッセージには、ＵＥ ２０の地理的な位置や方位を算出するための必要情報として、ＲＳＲＰ及びＲＳＲＱの両者が要求されている(但し、ＲＳＲＰ及びＲＳＲＱのいずれか一方が要求されても良い)。また、Ｅ−ＣＩＤ ＭＥＡＳＵＲＥＭＥＮＴ ＩＮＩＴＩＡＴＩＯＮ ＲＥＱＵＥＳＴメッセージには、上述した"Ｏｎ Ｄｅｍａｎｄ"又は"Ｐｅｒｉｏｄｉｃ"に代えて、ＵＥ ２０が必要情報を報告すべき報告回数Ｎ(Ｎ≧１)が指定される。
【００７９】
そして、ｅＮＢ １０は、ＵＥ ２０に対して、ＲＲＣ：ＲＲＣＣｏｎｎｅｃｔｉｏｎＲｅｃｏｎｆｉｇｕｒａｔｉｏｎを送信し、以て必要情報の報告を指示する(ステップＳ１２)。
【００８０】
ここで、ＲＲＣＣｏｎｎｅｃｔｉｏｎＲｅｃｏｎｆｉｇｕｒａｔｉｏｎメッセージには、或るｍｅａｓＯｂｊｅｃｔＩｄ＃２及びｒｅｐｏｒｔＣｏｎｆｉｇＩｄ＃２と、これらを対応付けるｍｅａｓＩｄ＃２とが含まれる。
【００８１】
報告回数Ｎは、図５に示す如く、ｒｅｐｏｒｔＣｏｎｆｉｇＩｄ＃２により、ＵＥ ２０に対して指示される。
【００８２】
なお、本実施の形態においては、少なくとも在圏セル５０(図１８参照)の測定結果が取得されれば良い。好ましくは、隣接セル５１、５２Ａ、５２Ｂ、５３Ａ、及び５３Ｂの少なくとも一つの測定結果を取得するようにしても良い。いずれの場合も、測定結果は、報告回数Ｎに亘って取得されることとなる。
【００８３】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ１３)。今、上記のステップＳ１２より前の時点で、ＵＥ ２０内のメモリに図６Ａに示す如く設定情報が記憶されていたとする。この場合、図６Ｂに示すように、ＵＥ ２０は、メモリに、ｍｅａｓＩｄ＃２、ｍｅａｓＯｂｊｅｃｔＩｄ＃２、及びｒｅｐｏｒｔＣｏｎｆｉｇＩｄ＃２を追記する。
【００８４】
この後、ＵＥ ２０は、ｅＮＢ １０に対して、ＲＲＣ：ＲＲＣＣｏｎｎｅｃｔｉｏｎＲｅｃｏｎｆｉｇｕｒａｔｉｏｎＣｏｍｐｌｅｔｅメッセージを送信する(ステップＳ１４)。
【００８５】
また、ＵＥ ２０は、上記のステップＳ１３で更新した設定情報に従って１以上のセルの測定を開始する。そして、ＵＥ ２０は、測定結果をＲＲＣ：ＭｅａｓｕｒｅｍｅｎｔＲｅｐｏｒｔメッセージに設定し、ｅＮＢ １０へ報告する(ステップＳ１５＿１)。
【００８６】
そして、ｅＮＢ １０は、ＵＥ ２０から報告された測定結果をＬＰＰａ：Ｅ−ＣＩＤ ＭＥＡＳＵＲＥＭＥＮＴ ＩＮＩＴＩＡＴＩＯＮ ＲＥＳＰＯＮＳＥメッセージに設定し、ＭＭＥ ３０を介してＥ−ＳＭＬＣ ４０へ通知する(ステップＳ１６＿１)。
【００８７】
また、ＵＥ ２０は、報告回数Ｎに達するまで測定を繰り返し行い、測定結果をＭｅａｓｕｒｅｍｅｎｔＲｅｐｏｒｔメッセージに設定してｅＮＢ １０へ順次報告する(ステップＳ１５＿２〜Ｓ１５＿Ｎ)。
【００８８】
一方、ｅＮＢ １０は、ＵＥ ２０からの測定結果をＬＰＰａ：Ｅ−ＣＩＤ ＭＥＡＳＵＲＥＭＥＮＴ ＲＥＰＯＲＴメッセージに設定し、ＭＭＥ ３０を介してＥ−ＳＭＬＣ ４０へ順次通知する(ステップＳ１６＿２〜Ｓ１６＿Ｎ)。
【００８９】
報告回数Ｎ分の測定が終了すると、ＵＥ ２０は、自律的に設定削除を行う(ステップＳ１７)。具体的には、図６Ｃに示すように、ＵＥ ２０は、メモリから、ｍｅａｓＩｄ＃２(並びにこれに対応付けて記憶したｍｅａｓＯｂｊｅｃｔＩｄ＃２及びｒｅｐｏｒｔＣｏｎｆｉｇＩｄ＃２)を削除する。
【００９０】
一方、ｅＮＢ １０は、報告回数Ｎ分の通知が終了すると、Ｅ−ＣＩＤ ＭＥＡＳＵＲＥＭＥＮＴ ＩＮＩＴＩＡＴＩＯＮ ＲＥＱＵＥＳＴメッセージへの応答を自律的に完了する。
【００９１】
このように、本実施の形態においては、図１７に示したＬＰＰａ：Ｅ−ＣＩＤ ＭＥＡＳＵＲＥＭＥＮＴ ＴＥＲＭＩＮＡＴＩＯＮ ＣＯＭＭＡＮＤメッセージが不要となる。従って、有線リソースの利用効率を向上させることができる。この効果は、ｓ−Ｍｅａｓｕｒｅ及びＭｅａｓＧａｐの更新如何に関わらず一様に得られる。
【００９２】
また、ｓ−Ｍｅａｓｕｒｅ及びＭｅａｓＧａｐのいずれも更新しない場合には、ＲＲＣＣｏｎｎｅｃｔｉｏｎＲｅｃｏｎｆｉｇｕｒａｔｉｏｎメッセージの再送信が不要であり、以て無線リソースの利用効率を向上させることもできる。
【００９３】
[実施の形態２]
本実施の形態に係る移動通信システムは、図１５及び図１６と同様に構成できる。また、本実施の形態に係るｅＮＢ、ＵＥ、及びＥ−ＳＭＬＣ、並びに本実施の形態に用いるＭＭＥは、上記の実施の形態１と同様に構成できる。
【００９４】
但し、本実施の形態は、ｅＮＢ １０、ＵＥ ２０、及びＥ−ＳＭＬＣ ４０が図７及び図８Ａ〜図８Ｃに示す如く動作する点で、上記の実施の形態１と異なる。
【００９５】
具体的には、図７に示すように、まずＥ−ＳＭＬＣ ４０は、ＭＭＥ ３０を介してｅＮＢ １０に対し、ＬＬＰａ：Ｅ−ＣＩＤ ＭＥＡＳＵＲＥＭＥＮＴ ＩＮＩＴＩＡＴＩＯＮ ＲＥＱＵＥＳＴを送信する(ステップＳ２１)。
【００９６】
ここで、Ｅ−ＣＩＤ ＭＥＡＳＵＲＥＭＥＮＴ ＩＮＩＴＩＡＴＩＯＮ ＲＥＱＵＥＳＴメッセージには、上記の実施の形態１と同様、ＵＥ ２０の地理的な位置や方位を算出するための必要情報として、ＲＳＲＰ及びＲＳＲＱの両者が要求されている(但し、ＲＳＲＰ及びＲＳＲＱのいずれか一方が要求されても良い)。
【００９７】
一方、上記の実施の形態１と異なり、報告回数Ｎは指定されない(但し、上述した"Ｏｎ Ｄｅｍａｎｄ"又は"Ｐｅｒｉｏｄｉｃ"を指定しても良い)。
【００９８】
そして、ｅＮＢ １０は、ＵＥ ２０に対して、ＲＲＣ：ＲＲＣＣｏｎｎｅｃｔｉｏｎＲｅｃｏｎｆｉｇｕｒａｔｉｏｎを送信し、以て必要情報の報告を指示する(ステップＳ２２)。
【００９９】
ここで、ＲＲＣＣｏｎｎｅｃｔｉｏｎＲｅｃｏｎｆｉｇｕｒａｔｉｏｎメッセージには、上記の実施の形態１と同様、或るｍｅａｓＯｂｊｅｃｔＩｄ＃２及びｒｅｐｏｒｔＣｏｎｆｉｇＩｄ＃２と、これらを対応付けるｍｅａｓＩｄ＃２とが含まれる。但し、本実施の形態においては、これらのＩｄにより、在圏セル５０の測定に加えて、Ｉｎｔｒａ−Ｆｒｅｑ隣接セル５１の測定が、ＵＥ ２０に対して指示されることとする。
【０１００】
一方、上記の実施の形態１と異なり、ｓ−Ｍｅａｓｕｒｅ Ｉｇｎｏｒｅ Ｆｌａｇが、ＲＲＣＣｏｎｎｅｃｔｉｏｎＲｅｃｏｎｆｉｇｕｒａｔｉｏｎメッセージに更に含まれる。このｓ−Ｍｅａｓｕｒｅ Ｉｇｎｏｒｅ Ｆｌａｇは、"ＯＮ"に設定されている場合に、ＵＥ ２０に対し、ｍｅａｓＩｄ＃２に対応する隣接セルの測定をｓ−Ｍｅａｓｕｒｅの閾値に依らず即時に行うよう指示するものである。
【０１０１】
なお、ｓ−Ｍｅａｓｕｒｅ Ｉｇｎｏｒｅ Ｆｌａｇが"ＯＦＦ"に設定されている場合、ＵＥ ２０は、ｓ−Ｍｅａｓｕｒｅの閾値を用いて、隣接セルの測定を行うか否かを判定する。これにより、一般的なＵｐｌｉｎｋ Ｅ−ＣＩＤ Ｐｏｓｉｔｉｏｎｉｎｇ Ｐｒｏｃｅｄｕｒｅとの互換性が保証される。
【０１０２】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ２３)。今、上記のステップＳ２２より前の時点で、ＵＥ ２０内のメモリに図８Ａに示す如く設定情報が記憶されていたとする。この場合、図８Ｂに示すように、ＵＥ ２０は、メモリに、ｍｅａｓＩｄ＃２、ｍｅａｓＯｂｊｅｃｔＩｄ＃２、及びｒｅｐｏｒｔＣｏｎｆｉｇＩｄ＃２を追記する。さらに、ＵＥ ２０は、メモリに、ｓ−Ｍｅａｓｕｒｅ Ｉｇｎｏｒｅ ＦｌａｇをｍｅａｓＩｄ＃２と対応付けて記憶する。
【０１０３】
この後、ＵＥ ２０は、ｅＮＢ １０に対して、ＲＲＣ：ＲＲＣＣｏｎｎｅｃｔｉｏｎＲｅｃｏｎｆｉｇｕｒａｔｉｏｎＣｏｍｐｌｅｔｅメッセージを送信する(ステップＳ２４)。これを受信したｅＮＢ １０は、内部のメモリ(図示せず)等に、ｓ−Ｍｅａｓｕｒｅ Ｉｇｎｏｒｅ Ｆｌａｇを記憶する(ステップＳ２５)。
【０１０４】
また、ＵＥ ２０は、上記のステップＳ２３で更新した設定情報に従って、在圏セル及び隣接セルの測定を即時に開始する(ステップＳ２６)。そして、ＵＥ ２０は、測定結果をＲＲＣ：ＭｅａｓｕｒｅｍｅｎｔＲｅｐｏｒｔメッセージに設定し、ｅＮＢ １０へ報告する(ステップＳ２７)。
【０１０５】
そして、ｅＮＢ １０は、ＵＥ ２０から報告された測定結果をＬＰＰａ：Ｅ−ＣＩＤ ＭＥＡＳＵＲＥＭＥＮＴ ＩＮＩＴＩＡＴＩＯＮ ＲＥＳＰＯＮＳＥメッセージに設定し、ＭＭＥ ３０を介してＥ−ＳＭＬＣ ４０へ通知する(ステップＳ２８)。
【０１０６】
また、ＵＥ ２０は、測定が終了すると、自律的に設定削除を行う(ステップＳ２９)。具体的には、図８Ｃに示すように、ＵＥ ２０は、メモリから、ｍｅａｓＩｄ＃２(並びにこれに対応付けて記憶したｍｅａｓＯｂｊｅｃｔＩｄ＃２及びｒｅｐｏｒｔＣｏｎｆｉｇＩｄ＃２)と、ｓ−Ｍｅａｓｕｒｅ Ｉｇｎｏｒｅ Ｆｌａｇとを削除する。
【０１０７】
一方、ｅＮＢ １０は、通知が終了すると、内部に記憶したｓ−Ｍｅａｓｕｒｅ Ｉｇｎｏｒｅ Ｆｌａｇを削除する(ステップＳ３０)。
【０１０８】
このように、本実施の形態においては、ｓ−Ｍｅａｓｕｒｅを更新すること無く、隣接セルの測定結果を取得できる。このため、ｓ−Ｍｅａｓｕｒｅの設定削除を目的としたＲＲＣＣｏｎｎｅｃｔｉｏｎＲｅｃｏｎｆｉｇｕｒａｔｉｏｎメッセージの再送信が不要であり、以て無線リソースの利用効率を向上させることができる。
【０１０９】
[実施の形態３]
本実施の形態に係る移動通信システムは、図１５及び図１６と同様に構成できる。また、本実施の形態に係るｅＮＢ、ＵＥ、及びＥ−ＳＭＬＣ、並びに本実施の形態に用いるＭＭＥは、上記の実施の形態１と同様に構成できる。
【０１１０】
但し、本実施の形態は、ｅＮＢ １０及びＵＥ ２０が図９及び図１０Ａ〜図１０Ｃに示す如く動作する点で、上記の実施の形態１及び２と異なる。
【０１１１】
具体的には、図９に示すように、まずＥ−ＳＭＬＣ ４０は、ＭＭＥ ３０を介してｅＮＢ １０に対し、ＬＬＰａ：Ｅ−ＣＩＤ ＭＥＡＳＵＲＥＭＥＮＴ ＩＮＩＴＩＡＴＩＯＮ ＲＥＱＵＥＳＴを送信する(ステップＳ３１)。ここで、Ｅ−ＣＩＤ ＭＥＡＳＵＲＥＭＥＮＴ ＩＮＩＴＩＡＴＩＯＮ ＲＥＱＵＥＳＴメッセージは、上記の実施の形態２と同様に設定される。
【０１１２】
そして、ｅＮＢ １０は、ＵＥ ２０に対して、ＲＲＣ：ＲＲＣＣｏｎｎｅｃｔｉｏｎＲｅｃｏｎｆｉｇｕｒａｔｉｏｎを送信し、以て必要情報の報告を指示する(ステップＳ３２)。
【０１１３】
ここで、ＲＲＣＣｏｎｎｅｃｔｉｏｎＲｅｃｏｎｆｉｇｕｒａｔｉｏｎメッセージには、上記の実施の形態１及び２と同様、或るｍｅａｓＯｂｊｅｃｔＩｄ＃２及びｒｅｐｏｒｔＣｏｎｆｉｇＩｄ＃２と、これらを対応付けるｍｅａｓＩｄ＃２とが含まれる。但し、本実施の形態においては、これらのＩｄにより、在圏セル５０の測定に加えて、Ｉｎｔｅｒ−Ｆｒｅｑ隣接セル５２及びＩｎｔｅｒ−ＲＡＴ隣接セル５３の少なくとも一方の測定が、ＵＥ ２０に対して指示されることとする。
【０１１４】
一方、上記の実施の形態１及び２と異なり、ＭｅａｓＧａｐ(Ｓｅｔｕｐ)と、ＭｅａｓＧａｐ Ｒｅｌｅａｓｅ Ｆｌａｇが、ＲＲＣＣｏｎｎｅｃｔｉｏｎＲｅｃｏｎｆｉｇｕｒａｔｉｏｎメッセージに更に含まれる。このＭｅａｓＧａｐ Ｒｅｌｅａｓｅ Ｆｌａｇは、"ＯＮ"に設定されている場合に、ＵＥ ２０に対し、ｍｅａｓＩｄ＃２に対応する隣接セルの測定終了時にＭｅａｓＧａｐを"Ｒｅｌｅａｓｅ"へ更新するよう指示するものである。
【０１１５】
なお、ＭｅａｓＧａｐ Ｒｅｌｅａｓｅ Ｆｌａｇが"ＯＦＦ"に設定されている場合、ＵＥ ２０は、ＭｅａｓＧａｐの設定に従って継続して動作する。これにより、一般的なＵｐｌｉｎｋ Ｅ−ＣＩＤ Ｐｏｓｉｔｉｏｎｉｎｇ Ｐｒｏｃｅｄｕｒｅとの互換性が保証される。
【０１１６】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ３３)。今、上記のステップＳ３２より前の時点で、ＵＥ ２０内のメモリに図１０Ａに示す如く設定情報が記憶されていたとする。この場合、図１０Ｂに示すように、ＵＥ ２０は、メモリに、ｍｅａｓＩｄ＃２、ｍｅａｓＯｂｊｅｃｔＩｄ＃２、及びｒｅｐｏｒｔＣｏｎｆｉｇＩｄ＃２を追記すると共に、ＭｅａｓＧａｐを"Ｓｅｔｕｐ"へ更新する。さらに、ＵＥ ２０は、メモリに、ＭｅａｓＧａｐ Ｒｅｌｅａｓｅ ＦｌａｇをｍｅａｓＩｄ＃２と対応付けて記憶する。
【０１１７】
この後、ＵＥ ２０は、ｅＮＢ １０に対して、ＲＲＣ：ＲＲＣＣｏｎｎｅｃｔｉｏｎＲｅｃｏｎｆｉｇｕｒａｔｉｏｎＣｏｍｐｌｅｔｅメッセージを送信する(ステップＳ３４)。これを受信したｅＮＢ １０は、内部のメモリ(図示せず)等に、ＭｅａｓＧａｐ Ｒｅｌｅａｓｅ Ｆｌａｇを記憶する(ステップＳ３５)。
【０１１８】
また、ＵＥ ２０は、上記のステップＳ２３で更新した設定情報に従って、在圏セル及び隣接セルの測定を開始する。そして、ＵＥ ２０は、測定結果をＲＲＣ：ＭｅａｓｕｒｅｍｅｎｔＲｅｐｏｒｔメッセージに設定し、ｅＮＢ １０へ報告する(ステップＳ３６)。
【０１１９】
そして、ｅＮＢ １０は、ＵＥ ２０から報告された測定結果をＬＰＰａ：Ｅ−ＣＩＤ ＭＥＡＳＵＲＥＭＥＮＴ ＩＮＩＴＩＡＴＩＯＮ ＲＥＳＰＯＮＳＥメッセージに設定し、ＭＭＥ ３０を介してＥ−ＳＭＬＣ ４０へ通知する(ステップＳ３７)。
【０１２０】
また、ＵＥ ２０は、測定が終了すると、自律的に設定削除を行う(ステップＳ３８)。具体的には、図１０Ｃに示すように、ＵＥ ２０は、メモリから、ｍｅａｓＩｄ＃２(並びにこれに対応付けて記憶したｍｅａｓＯｂｊｅｃｔＩｄ＃２及びｒｅｐｏｒｔＣｏｎｆｉｇＩｄ＃２)と、ＭｅａｓＧａｐ Ｒｅｌｅａｓｅ Ｆｌａｇとを削除する。さらに、ＵＥ ２０は、ＭｅａｓＧａｐを"Ｒｅｌｅａｓｅ"へ更新する。
【０１２１】
一方、ｅＮＢ １０は、通知が終了すると、内部に記憶したＭｅａｓＧａｐ Ｒｅｌｅａｓｅ Ｆｌａｇを削除する(ステップＳ３９)。
【０１２２】
このように、本実施の形態においては、Ｉｎｔｅｒ−Ｆｒｅｑ隣接セルやＩｎｔｅｒ−ＲＡＴ隣接セルの測定結果を取得する場合に、ＲＲＣＣｏｎｎｅｃｔｉｏｎＲｅｃｏｎｆｉｇｕｒａｔｉｏｎメッセージを再送信すること無く、ＭｅａｓＧａｐの設定削除を行うことができる。このため、無線リソースの利用効率を向上させることができる。
【０１２３】
また、ＭｅａｓＧａｐ Ｒｅｌｅａｓｅ Ｆｌａｇは、以下の変形例に示す如く使用することもできる。
【０１２４】
[変形例]
本変形例においては、ｅＮＢ １０及びＵＥ ２０の協調動作により、図９に示した上記のステップＳ３８及びＳ３９の処理に代えて、図１１に示すＳ４０〜Ｓ４３の処理を実行する。
【０１２５】
具体的には、ｅＮＢ １０がＵＥ ２０からのＲＲＣ：ＭｅａｓｕｒｅｍｅｎｔＲｅｐｏｒｔメッセージを待機する間に、例えばハンドオーバのために、Ｉｎｔｅｒ−Ｆｒｅｑ隣接セルやＩｎｔｅｒ−ＲＡＴ隣接セルの測定を継続した方が好ましい状況になったとする。
【０１２６】
この場合、ｅＮＢ １０は、ＵＥ ２０に対して、ＭｅａｓＧａｐ Ｒｅｌｅａｓｅ Ｆｌａｇを"ＯＦＦ"に設定したＲＲＣ：ＲＲＣＣｏｎｎｅｃｔｉｏｎＲｅｃｏｎｆｉｇｕｒａｔｉｏｎを送信する(ステップＳ４０)。
【０１２７】
ここで、図示の如くＲＲＣＣｏｎｎｅｃｔｉｏｎＲｅｃｏｎｆｉｇｕｒａｔｉｏｎメッセージに再びＭｅａｓＧａｐ(Ｓｅｔｕｐ)を設定する理由は、ＲＲＣＣｏｎｎｅｃｔｉｏｎＲｅｃｏｎｆｉｇｕｒａｔｉｏｎメッセージとＭｅａｓｕｒｅｍｅｎｔＲｅｐｏｒｔメッセージのすれ違いに因り、ＵＥ ２０がＲＲＣＣｏｎｎｅｃｔｉｏｎＲｅｃｏｎｆｉｇｕｒａｔｉｏｎメッセージの受信前にＭｅａｓＧａｐを"Ｒｅｌｅａｓｅ"へ更新してしまうのを回避するためである。なお、図１１に示す例では、ＲＲＣＣｏｎｎｅｃｔｉｏｎＲｅｃｏｎｆｉｇｕｒａｔｉｏｎメッセージに、或るｍｅａｓＯｂｊｅｃｔＩｄ＃３及びｒｅｐｏｒｔＣｏｎｆｉｇＩｄ＃３と、これらを対応付けるｍｅａｓＩｄ＃３とが含まれている。
【０１２８】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ４１)。具体的には、上記のステップＳ３２〜Ｓ３４の処理の結果、ＵＥ ２０のメモリ中の設定情報が、図１２Ａに示す状態から図１２Ｂに示す状態へ更新されていたとする。この場合、図１２Ｃに示すように、ＵＥ ２０は、メモリに、ｍｅａｓＩｄ＃３、ｍｅａｓＯｂｊｅｃｔＩｄ＃３、及びｒｅｐｏｒｔＣｏｎｆｉｇＩｄ＃３を追記する。また、ＵＥ ２０は、ＭｅａｓＧａｐを"Ｓｅｔｕｐ"に維持する一方、ＭｅａｓＧａｐ Ｒｅｌｅａｓｅ Ｆｌａｇをメモリから削除する。
【０１２９】
この後、ＵＥ ２０は、ｅＮＢ １０に対して、ＲＲＣ：ＲＲＣＣｏｎｎｅｃｔｉｏｎＲｅｃｏｎｆｉｇｕｒａｔｉｏｎＣｏｍｐｌｅｔｅメッセージを送信する(ステップＳ４２)。これを受信したｅＮＢ １０は、内部のメモリ等から、ＭｅａｓＧａｐ Ｒｅｌｅａｓｅ Ｆｌａｇを削除する(ステップＳ４３)。
【０１３０】
これにより、上記のステップＳ３６の処理(Ｍｅａｓｕｒｅｍｅｎｔ Ｒｅｐｏｒｔの送信)が終了した後、ＵＥ ２０内のメモリには、ＭｅａｓＧａｐ(Ｓｅｔｕｐ)が記録されたままとなる。従って、ＵＥ ２０は、Ｉｎｔｅｒ−Ｆｒｅｑ隣接セルやＩｎｔｅｒ−ＲＡＴ隣接セルの測定を継続できる。
【０１３１】
[実施の形態４]
本実施の形態に係る移動通信システムは、図１５及び図１６と同様に構成できる。また、本実施の形態に係るｅＮＢ、ＵＥ、及びＥ−ＳＭＬＣ、並びに本実施の形態に用いるＭＭＥは、上記の実施の形態１と同様に構成できる。
【０１３２】
但し、本実施の形態は、ｅＮＢ １０及びＵＥ ２０が図１３及び図１４Ａ〜図１４Ｃに示す如く動作する点で、上記の実施の形態１と異なる。換言すると、本実施の形態は、上記の実施の形態１〜３を組み合わせて成したものであり、ｅＮＢ １０、ＵＥ ２０、及びＥ−ＳＭＬＣ ４０の協調動作により、有線リソースの利用効率及び無線リソースの利用効率の両者を向上させることができる。
【０１３３】
なお、説明を省略するが、上記の実施の形態１及び２を組み合わせた場合、及び上記の実施の形態１及び３を組み合わせた場合にも、有線リソースの利用効率及び無線リソースの利用効率の両者を向上させることができる。
【０１３４】
以下、本実施の形態の動作を、図１３及び図１４Ａ〜図１４Ｃを参照して詳細に説明する。
【０１３５】
図１３に示すように、まずＥ−ＳＭＬＣ ４０は、ＭＭＥ ３０を介してｅＮＢ １０に対し、ＬＬＰａ：Ｅ−ＣＩＤ ＭＥＡＳＵＲＥＭＥＮＴ ＩＮＩＴＩＡＴＩＯＮ ＲＥＱＵＥＳＴを送信する(ステップＳ５１)。
【０１３６】
ここで、Ｅ−ＣＩＤ ＭＥＡＳＵＲＥＭＥＮＴ ＩＮＩＴＩＡＴＩＯＮ ＲＥＱＵＥＳＴメッセージには、上記の実施の形態１と同様、ＵＥ ２０の地理的な位置や方位を算出するための必要情報としてＲＳＲＰ及びＲＳＲＱの両者が要求され、且つＵＥ ２０が必要情報を報告すべき報告回数Ｎが指定される。
【０１３７】
そして、ｅＮＢ １０は、ＵＥ ２０に対して、ＲＲＣ：ＲＲＣＣｏｎｎｅｃｔｉｏｎＲｅｃｏｎｆｉｇｕｒａｔｉｏｎを送信し、以て必要情報の報告を指示する(ステップＳ５２)。
【０１３８】
ここで、ＲＲＣＣｏｎｎｅｃｔｉｏｎＲｅｃｏｎｆｉｇｕｒａｔｉｏｎメッセージには、或るｍｅａｓＯｂｊｅｃｔＩｄ＃２及びｒｅｐｏｒｔＣｏｎｆｉｇＩｄ＃２と、これらを対応付けるｍｅａｓＩｄ＃２とが含まれる。報告回数Ｎは、上記の実施の形態１と同様、ｒｅｐｏｒｔＣｏｎｆｉｇＩｄ＃２により、ＵＥ ２０に対して指示される。
【０１３９】
本実施の形態においては、これらのＩｄにより、ＵＥ ２０に対し、在圏セル５０、Ｉｎｔｒａ−Ｆｒｅｑ隣接セル５１、Ｉｎｔｅｒ−Ｆｒｅｑ隣接セル５２、及びＩｎｔｅｒ−ＲＡＴ隣接セル５３の全ての測定を指示することができる。
【０１４０】
また、上記の実施の形態２と同様、ｓ−Ｍｅａｓｕｒｅ Ｉｇｎｏｒｅ Ｆｌａｇが、ＲＲＣＣｏｎｎｅｃｔｉｏｎＲｅｃｏｎｆｉｇｕｒａｔｉｏｎメッセージ含まれる。
【０１４１】
さらに、上記の実施の形態３と同様、ＭｅａｓＧａｐ(Ｓｅｔｕｐ)及びＭｅａｓＧａｐ Ｒｅｌｅａｓｅ Ｆｌａｇが、ＲＲＣＣｏｎｎｅｃｔｉｏｎＲｅｃｏｎｆｉｇｕｒａｔｉｏｎメッセージに含まれる。
【０１４２】
そして、ＵＥ ２０は、受信したＲＲＣＣｏｎｎｅｃｔｉｏｎＲｅｃｏｎｆｉｇｕｒａｔｉｏｎメッセージの内容に従って、自身の設定を更新する(ステップＳ５３)。今、上記のステップＳ５２より前の時点で、ＵＥ ２０内のメモリに図１４Ａに示す如く設定情報が記憶されていたとする。この場合、図１４Ｂに示すように、ＵＥ ２０は、メモリに、ｍｅａｓＩｄ＃２、ｍｅａｓＯｂｊｅｃｔＩｄ＃２、及びｒｅｐｏｒｔＣｏｎｆｉｇＩｄ＃２を追記する。また、ＵＥ ２０は、メモリに、ｓ−Ｍｅａｓｕｒｅ Ｉｇｎｏｒｅ ＦｌａｇをｍｅａｓＩｄ＃２と対応付けて記憶する。さらに、ＵＥ ２０は、ＭｅａｓＧａｐを"Ｓｅｔｕｐ"へ更新すると共に、メモリに、ＭｅａｓＧａｐ Ｒｅｌｅａｓｅ ＦｌａｇをｍｅａｓＩｄ＃２と対応付けて記憶する。
【０１４３】
この後、ＵＥ ２０は、ｅＮＢ １０に対して、ＲＲＣ：ＲＲＣＣｏｎｎｅｃｔｉｏｎＲｅｃｏｎｆｉｇｕｒａｔｉｏｎＣｏｍｐｌｅｔｅメッセージを送信する(ステップＳ５４)。これを受信したｅＮＢ １０は、内部のメモリ(図示せず)等に、ｓ−Ｍｅａｓｕｒｅ Ｉｇｎｏｒｅ Ｆｌａｇ及びＭｅａｓＧａｐ Ｒｅｌｅａｓｅ Ｆｌａｇを記憶する(ステップＳ５５)。
【０１４４】
また、ＵＥ ２０は、上記のステップＳ５３で更新した設定情報に従って、在圏セル及び隣接セルの測定を即時に開始する(ステップＳ５６)。そして、ＵＥ ２０は、測定結果をＲＲＣ：ＭｅａｓｕｒｅｍｅｎｔＲｅｐｏｒｔメッセージに設定し、ｅＮＢ １０へ報告する(ステップＳ５７＿１)。
【０１４５】
そして、ｅＮＢ １０は、ＵＥ ２０から報告された測定結果をＬＰＰａ：Ｅ−ＣＩＤ ＭＥＡＳＵＲＥＭＥＮＴ ＩＮＩＴＩＡＴＩＯＮ ＲＥＳＰＯＮＳＥメッセージに設定し、ＭＭＥ ３０を介してＥ−ＳＭＬＣ ４０へ通知する(ステップＳ５８＿１)。
【０１４６】
また、ＵＥ ２０は、報告回数Ｎに達するまで測定を繰り返し行い、測定結果をＭｅａｓｕｒｅｍｅｎｔＲｅｐｏｒｔメッセージに設定してｅＮＢ １０へ順次報告する(ステップＳ５７＿２〜Ｓ５７＿Ｎ)。
【０１４７】
一方、ｅＮＢ １０は、ＵＥ ２０からの測定結果をＬＰＰａ：Ｅ−ＣＩＤ ＭＥＡＳＵＲＥＭＥＮＴ ＲＥＰＯＲＴメッセージに設定し、ＭＭＥ ３０を介してＥ−ＳＭＬＣ ４０へ順次通知する(ステップＳ５８＿２〜Ｓ５８＿Ｎ)。
【０１４８】
報告回数Ｎ分の測定が終了すると、ＵＥ ２０は、自律的に設定削除を行う(ステップＳ５９)。具体的には、図１４Ｃに示すように、ＵＥ ２０は、メモリから、ｍｅａｓＩｄ＃２(並びにこれに対応付けて記憶したｍｅａｓＯｂｊｅｃｔＩｄ＃２及びｒｅｐｏｒｔＣｏｎｆｉｇＩｄ＃２)と、ｓ−Ｍｅａｓｕｒｅ Ｉｇｎｏｒｅ Ｆｌａｇと、ＭｅａｓＧａｐ Ｒｅｌｅａｓｅ Ｆｌａｇとを削除する。さらに、ＵＥ ２０は、ＭｅａｓＧａｐを"Ｒｅｌｅａｓｅ"へ更新する。
【０１４９】
一方、ｅＮＢ １０は、報告回数Ｎ分の通知が終了すると、内部に記憶したｓ−Ｍｅａｓｕｒｅ Ｉｇｎｏｒｅ Ｆｌａｇ及びＭｅａｓＧａｐ Ｒｅｌｅａｓｅ Ｆｌａｇを削除すると共に、Ｅ−ＣＩＤ ＭＥＡＳＵＲＥＭＥＮＴ ＩＮＩＴＩＡＴＩＯＮ ＲＥＱＵＥＳＴメッセージへの応答を自律的に完了する(ステップＳ６０)。
【０１５０】
このように、本実施の形態においては、上記の実施の形態１と同様、図１７に示したＬＰＰａ：Ｅ−ＣＩＤ ＭＥＡＳＵＲＥＭＥＮＴ ＴＥＲＭＩＮＡＴＩＯＮ ＣＯＭＭＡＮＤメッセージが不要となる。
【０１５１】
また、上記の実施の形態２と同様、ｓ−Ｍｅａｓｕｒｅを更新すること無く、隣接セルの測定結果を取得できる。このため、ＲＲＣＣｏｎｎｅｃｔｉｏｎＲｅｃｏｎｆｉｇｕｒａｔｉｏｎメッセージの再送信が不要である。
【０１５２】
さらに、上記の実施の形態３と同様、Ｉｎｔｅｒ−Ｆｒｅｑ隣接セルやＩｎｔｅｒ−ＲＡＴ隣接セルの測定結果を取得する場合に、ＲＲＣＣｏｎｎｅｃｔｉｏｎＲｅｃｏｎｆｉｇｕｒａｔｉｏｎメッセージを再送信すること無く、ＭｅａｓＧａｐの設定削除を行うことができる。
【０１５３】
従って、本実施の形態においては、有線リソースの利用効率及び無線リソースの利用効率の両者を向上させることができる。
【０１５４】
なお、上記の実施の形態によって本発明は限定されるものではなく、特許請求の範囲の記載に基づき、当業者によって種々の変更が可能なことは明らかである。
【０１５５】
この出願は、２０１０年８月２５日に出願された日本出願特願２０１０−１８８５４６を基礎とする優先権を主張し、その開示の全てをここに取り込む。
【産業上の利用可能性】
【０１５６】
本発明は、基地局、サービス提供装置、移動局、移動通信システム、及びこれらの通信制御方法に適用され、特にＬＣＳの提供に際して、移動局における無線信号の受信状況を取得する用途に適用される。【０１５７】
上記の実施の形態の一部又は全部は、以下の付記のようにも記載され得るが、以下には限られない。【０１５８】
（付記１）
移動局との無線通信を行う第１の通信手段と、
前記移動局の位置に応じたサービスを提供するサービス提供装置との通信を行う第２の通信手段と、
前記第１及び第２の通信手段を制御する制御手段と、を備え、
前記制御手段は、
前記サービス提供装置からの一の要求に応じて、前記移動局に対し、自基地局からの無線信号の受信状況に関する第１の測定と、前記サービス提供装置から要求された前記第１の測定の結果を報告すべき報告回数とを指示し、
前記移動局から前記報告回数に亘って報告される前記第１の測定の結果を、前記サービス提供装置へ順次通知し、
前記通知を前記報告回数に亘って行った場合に、前記一の要求への応答を自律的に完了する、
基地局。【０１５９】
（付記２）付記１において、
前記制御手段は、
前記一の要求に応じて、前記移動局に対し、自基地局に隣接して設置される他の基地局からの無線信号の受信状況に関する第２の測定の結果を、前記報告回数に亘って報告するよう更に指示し、
前記移動局から前記報告回数に亘って報告される前記第１及び第２の測定の結果を、前記サービス提供装置へ順次通知する、
ことを特徴とした基地局。【０１６０】
（付記３）付記２において、
前記制御手段は、前記一の要求に応じて、前記移動局に対し、前記第２の測定を予め設定された測定条件に関わらず行うよう更に指示する、ことを特徴とした基地局。【０１６１】
（付記４）付記２又は３において、
前記制御手段は、前記一の要求に応じて、前記他の基地局として自基地局とは異なる無線周波数を使用する又は自基地局とは異なる無線アクセス技術が適用された基地局を選択し、前記移動局に対して、前記第２の測定を行うべきタイミングを指示すると共に、前記第２の測定の終了時に前記タイミングに関する設定を無効化するよう指示する、ことを特徴とした基地局。【０１６２】
（付記５）付記４において、
前記制御手段は、前記報告を待機する間、前記移動局に対して、前記第２の測定が終了しても前記設定を無効化しないよう更に指示する、ことを特徴とした基地局。【０１６３】
（付記６）
移動局との無線通信を行う第１の通信手段と、
前記移動局の位置に応じたサービスを提供するサービス提供装置との通信を行う第２の通信手段と、
前記第１及び第２の通信手段を制御する制御手段と、を備え、
前記制御手段は、
前記サービス提供装置からの要求に応じて、前記移動局に対し、自基地局に隣接して設置される他の基地局からの無線信号の受信状況を、予め設定された測定条件に関わらず測定するよう指示し、
前記移動局から報告される前記測定の結果を、前記サービス提供装置へ通知する、
基地局。【０１６４】
（付記７）付記２、３、及び６のいずれか一つにおいて、
前記制御手段は、前記他の基地局として、自基地局と同一の無線周波数を使用する第１の基地局、自基地局と異なる無線周波数を使用する第２の基地局、又は自基地局と異なる無線アクセス技術が適用された第３の基地局を選択する、ことを特徴とした基地局。【０１６５】
（付記８）付記７において、
前記制御手段は、前記第２又は第３の基地局として、そのセルのカバレッジが自基地局で形成するセルのカバレッジを包含する基地局を選択する、ことを特徴とした基地局。【０１６６】
（付記９）
移動局との無線通信を行う第１の通信手段と、
前記移動局の位置に応じたサービスを提供するサービス提供装置との通信を行う第２の通信手段と、
前記第１及び第２の通信手段を制御する制御手段と、を備え、
前記制御手段は、
前記サービス提供装置からの要求に応じて、前記移動局に対し、自基地局に隣接して設置され、且つ自基地局とは異なる無線周波数を使用する又は自基地局とは異なる無線アクセス技術が適用された他の基地局からの無線信号の受信状況に関する測定と、前記測定を行うべきタイミングとを指示すると共に、前記測定の終了時に前記タイミングに関する設定を無効化するよう指示し、
前記移動局から報告される前記測定の結果を、前記サービス提供装置へ通知する、
基地局。【０１６７】
（付記１０）付記９において、
前記制御手段は、前記報告を待機する間、前記移動局に対して、前記測定が終了しても前記設定を無効化しないよう更に指示する、ことを特徴とした基地局。【０１６８】
（付記１１）付記４、５、９、及び１０のいずれか一つにおいて、
前記制御手段は、前記他の基地局として、そのセルのカバレッジが自基地局で形成するセルのカバレッジを包含する基地局を選択する、ことを特徴とした基地局。【０１６９】
（付記１２）
基地局との通信を行う通信手段と、
前記通信手段を制御して、前記基地局に在圏する移動局の位置に応じたサービスを提供する制御手段と、を備え、
前記制御手段は、
前記基地局に対して、前記移動局における少なくとも前記基地局からの無線信号の受信状況に関する測定の結果を、予め定めた回数に亘って通知するよう要求し、
前記通知が前記回数に亘って行われた場合に、前記基地局による前記要求への応答が完了したと判断し、前記測定の結果を用いて前記位置を算出する、
サービス提供装置。【０１７０】
（付記１３）付記１２において、
前記制御手段は、前記基地局から、前記測定の結果として、前記基地局に隣接して設置される他の基地局からの無線信号の受信状況に関する測定の結果を更に受信する、ことを特徴としたサービス提供装置。【０１７１】
（付記１４）
基地局との無線通信を行う通信手段と、
前記通信手段を制御する制御手段と、を備え、
前記制御手段は、
前記基地局からの指示に応じて、少なくとも前記基地局からの無線信号の受信状況を、前記基地局から指示された回数に亘って測定し、
前記測定の結果を、前記回数に亘って前記基地局へ順次報告する、
移動局。【０１７２】
（付記１５）付記１４において、
前記制御手段は、前記指示に応じて、前記基地局に隣接して設置される他の基地局からの無線信号の受信状況を前記回数に亘って更に測定し、その結果を前記基地局へ順次報告する、ことを特徴とした移動局。【０１７３】
（付記１６）
基地局との無線通信を行う通信手段と、
前記通信手段を制御する制御手段と、を備え、
前記制御手段は、
前記基地局からの一の指示に応じて、前記基地局に隣接して設置される他の基地局からの無線信号の受信状況を、予め設定された測定条件に関わらず測定し、
前記測定の結果を、前記基地局へ報告する、
移動局。【０１７４】
（付記１７）
基地局との無線通信を行う通信手段と、
前記通信手段を制御する制御手段と、を備え、
前記制御手段は、
前記基地局からの一の指示に応じて、前記基地局に隣接して設置され、且つ前記基地局とは異なる無線周波数を使用する又は前記基地局とは異なる無線アクセス技術が適用された他の基地局からの無線信号の受信状況を、前記基地局から指示されたタイミングで測定すると共に、前記測定の終了時に、前記タイミングに関する設定を無効化し、
前記測定の結果を、前記基地局へ報告する、
移動局。【０１７５】
（付記１８）付記１７において、
前記制御手段は、前記報告を行う前に、前記基地局から前記測定が終了しても前記設定を無効化しないよう更に指示された場合、前記設定に従った測定を継続する、ことを特徴とした移動局。【０１７６】
（付記１９）
基地局と、
前記基地局との無線通信を行う移動局と、
前記基地局との通信を行い、前記移動局の位置に応じたサービスを提供するサービス提供装置と、を備え、
前記サービス提供装置は、前記基地局に対して、前記移動局における少なくとも前記基地局からの無線信号の受信状況に関する測定の結果を、予め定めた回数に亘って通知するよう要求すると共に、前記通知が前記回数に亘って行われた場合に、前記測定の結果を用いて前記位置を算出し、
前記基地局は、前記要求に応じて、前記移動局に対し前記測定を前記回数に亘って行うよう指示すると共に、前記移動局から前記回数に亘って報告される前記測定の結果を、前記サービス提供装置へ順次通知し、
前記移動局は、前記指示に応じて、前記受信状況を前記回数に亘って測定すると共に、前記測定の結果を、前記回数に亘って前記基地局へ順次報告する、
移動通信システム。【０１７７】
（付記２０）
基地局と、
前記基地局との無線通信を行う移動局と、
前記基地局との通信を行い、前記移動局の位置に応じたサービスを提供するサービス提供装置と、を備え、
前記基地局は、前記サービス提供装置からの要求に応じて、前記移動局に対し、前記基地局に隣接して設置される他の基地局からの無線信号の受信状況を、予め設定された測定条件に関わらず測定するよう指示すると共に、前記移動局から報告される前記測定の結果を前記サービス提供装置へ通知し、
前記移動局は、前記指示に応じて、前記受信状況を前記測定条件に関わらず測定すると共に、前記測定の結果を前記基地局へ報告し、
前記サービス提供装置は、前記測定の結果を用いて前記位置を算出する、
移動通信システム。【０１７８】
（付記２１）
基地局と、
前記基地局との無線通信を行う移動局と、
前記基地局との通信を行い、前記移動局の位置に応じたサービスを提供するサービス提供装置と、を備え、
前記基地局は、前記サービス提供装置からの要求に応じて、前記移動局に対し、前記基地局に隣接して設置され、且つ前記基地局とは異なる無線周波数を使用する又は前記基地局とは異なる無線アクセス技術が適用された他の基地局からの無線信号の受信状況に関する測定と、前記測定を行うべきタイミングとを指示すると共に、前記測定の終了時に前記タイミングに関する設定を無効化するよう指示し、前記移動局から報告される前記測定の結果を前記サービス提供装置へ通知し、
前記移動局は、前記指示に応じて、前記受信状況を前記タイミングで測定すると共に、前記測定の終了時に前記タイミングに関する設定を無効化し、前記測定の結果を前記基地局へ報告し、
前記サービス提供装置は、前記測定の結果を用いて前記位置を算出する、
移動通信システム。【０１７９】
（付記２２）
移動局との無線通信、及び前記移動局の位置に応じたサービスを提供するサービス提供装置との通信を行う基地局の通信制御方法であって、
前記サービス提供装置からの一の要求に応じて、前記移動局に対し、自基地局からの無線信号の受信状況に関する測定と、前記サービス提供装置から要求された前記測定の結果を報告すべき報告回数とを指示し、
前記移動局から前記報告回数に亘って報告される前記測定の結果を、前記サービス提供装置へ順次通知し、
前記通知を前記報告回数に亘って行った場合に、前記一の要求への応答を自律的に完了する、
ことを含む通信制御方法。【０１８０】
（付記２３）
移動局との無線通信、及び前記移動局の位置に応じたサービスを提供するサービス提供装置との通信を行う基地局の通信制御方法であって、
前記サービス提供装置からの要求に応じて、前記移動局に対し、自基地局に隣接して設置される他の基地局からの無線信号の受信状況を、予め設定された測定条件に関わらず測定するよう指示し、
前記移動局から報告される前記測定の結果を、前記サービス提供装置へ通知する、
ことを含む通信制御方法。【０１８１】
（付記２４）
移動局との無線通信、及び前記移動局の位置に応じたサービスを提供するサービス提供装置との通信を行う基地局の通信制御方法であって、
前記サービス提供装置からの要求に応じて、前記移動局に対し、自基地局に隣接して設置され、且つ自基地局とは異なる無線周波数を使用する又は自基地局とは異なる無線アクセス技術が適用された他の基地局からの無線信号の受信状況に関する測定と、前記測定を行うべきタイミングとを指示すると共に、前記測定の終了時に前記タイミングに関する設定を無効化するよう指示し、
前記移動局から報告される前記測定の結果を、前記サービス提供装置へ通知する、
ことを含む通信制御方法。【０１８２】
（付記２５）
基地局と通信して、前記基地局に在圏する移動局の位置に応じたサービスを提供するサービス提供装置の通信制御方法であって、
前記基地局に対して、前記移動局における少なくとも前記基地局からの無線信号の受信状況に関する測定の結果を、予め定めた回数に亘って通知するよう要求し、
前記通知が前記回数に亘って行われた場合に、前記基地局による前記要求への応答が完了したと判断し、前記測定の結果を用いて前記位置を算出する、
ことを含む通信制御方法。【０１８３】
（付記２６）
基地局との無線通信を行う移動局の通信制御方法であって、
前記基地局からの指示に応じて、少なくとも前記基地局からの無線信号の受信状況を、前記基地局から指示された回数に亘って測定し、
前記測定の結果を、前記回数に亘って前記基地局へ順次報告する、
ことを含む通信制御方法。【０１８４】
（付記２７）
基地局との無線通信を行う移動局の通信制御方法であって、
前記基地局からの一の指示に応じて、前記基地局に隣接して設置される他の基地局からの無線信号の受信状況を、予め設定された測定条件に関わらず測定し、
前記測定の結果を、前記基地局へ報告する、
ことを含む通信制御方法。【０１８５】
（付記２８）
基地局との無線通信を行う移動局の通信制御方法であって、
前記基地局からの一の指示に応じて、前記基地局に隣接して設置され、且つ前記基地局とは異なる無線周波数を使用する又は前記基地局とは異なる無線アクセス技術が適用された他の基地局からの無線信号の受信状況を、前記基地局から指示されたタイミングで測定すると共に、前記測定の終了時に、前記タイミングに関する設定を無効化し、
前記測定の結果を、前記基地局へ報告する、
ことを含む通信制御方法。
【符号の説明】
【０１８６】
１０, １０＿１〜１０＿ｉ  ｅＮＢ
１１, ２１  Ｕｕ伝送部
１２, ３１  Ｓ１伝送部
１３, ２２, ３３, ４２  制御部
２０  ＵＥ
３０  ＭＭＥ
３２, ４１  ＳＬｓ伝送部
４０  Ｅ−ＳＭＬＣ
５０  在圏セル
５１  Ｉｎｔｒａ−Ｆｒｅｑ隣接セル
５２, ５２Ａ, ５２Ｂ  Ｉｎｔｅｒ−Ｆｒｅｑ隣接セル
５３, ５３Ａ, ５３Ｂ  Ｉｎｔｅｒ−ＲＡＴ隣接セル
１３１, ２２１  ＲＲＣレイヤ
１３２, ３３１  Ｓ１−ＡＰレイヤ
１３３, ４２２  ＬＰＰａレイヤ
１３４, ２２２, ３３３, ４２３  コントローラ
３３２, ４２１  ＬＣＳ−ＡＰレイヤ
【図１】
0005522258.tif 000002
【図２】
0005522258.tif 000003
【図３】
0005522258.tif 000004
【図４】
0005522258.tif 000005
【図５】
0005522258.tif 000006
【図６Ａ】
0005522258.tif 000007
【図６Ｂ】
0005522258.tif 000008
【図６Ｃ】
0005522258.tif 000009
【図７】
0005522258.tif 000010
【図８Ａ】
0005522258.tif 000011
【図８Ｂ】
0005522258.tif 000012
【図８Ｃ】
0005522258.tif 000013
【図９】
0005522258.tif 000014
【図１０Ａ】
0005522258.tif 000015
【図１０Ｂ】
0005522258.tif 000016
【図１０Ｃ】
0005522258.tif 000017
【図１１】
0005522258.tif 000018
【図１２Ａ】
0005522258.tif 000019
【図１２Ｂ】
0005522258.tif 000020
【図１２Ｃ】
0005522258.tif 000021
【図１２Ｄ】
0005522258.tif 000022
【図１３】
0005522258.tif 000023
【図１４Ａ】
0005522258.tif 000024
【図１４Ｂ】
0005522258.tif 000025
【図１４Ｃ】
0005522258.tif 000026
【図１５】
0005522258.tif 000027
【図１６】
0005522258.tif 000028
【図１７】
0005522258.tif 000029
【図１８】
0005522258.tif 000030
【図１９Ａ】
0005522258.tif 000031
【図１９Ｂ】
0005522258.tif 000032
【図１９Ｃ】
0005522258.tif 000033
【図２０】
0005522258.tif 000034